(57)【要約】伝送効率を向上させることができるデータ通信装置、データ受信装置、データ送信装置および再送制御方法を提供する。誤り率測定部（１２０）およびＡＣＫ／ＮＡＣＫ生成部（１２２）を有するデータ通信装置において、誤り率測定部（１２０）は、受信したパケットデータのパケット誤り率を測定する。ＡＣＫ／ＮＡＣＫ生成部（１２２）は、測定されたパケット誤り率と目標値としての所要パケット誤り率を比較する。そして、ＡＣＫ／ＮＡＣＫ生成部（１２２）は、この比較の結果、測定されたパケット誤り率が所要パケット誤り率よりも低い場合、データ再送を回避する処理として、ＡＣＫ信号を生成する。【特許請求の範囲】
【請求項１】
データの受信誤り率を取得する取得手段と、
取得された受信誤り率と目標値を比較する比較手段と、
前記比較手段による比較の結果、取得された受信誤り率が目標値よりも低い場合、データ再送を回避する処理を行う処理手段と、
を有するデータ通信装置。
【請求項２】
データ送信装置から送信されたデータを受信する受信手段と、
受信データの誤りを検出する検出手段と、
受信データの受信誤り率を測定する測定手段と、
測定された受信誤り率と目標値を比較する比較手段と、
受信データの誤りが検出され且つ測定された受信誤り率が目標値よりも高い場合、前記データ送信装置にデータ再送を要求する一方、受信データの誤りが検出され且つ測定された受信誤り率が目標値よりも低い場合、前記データ送信装置にデータ再送を要求しない要求手段と、
を有するデータ受信装置。
【請求項３】
前記測定手段は、
データ送信に用いられるチャネルのチャネル品質を測定し、測定されたチャネル品質に基づいて受信誤り率を推定する、
請求項２記載のデータ受信装置。
【請求項４】
前記測定手段は、
データ送信に用いられるチャネルのチャネル品質を測定し、測定されたチャネル品質に基づいて受信誤り率を推定する、
請求項２記載のデータ受信装置。
【請求項５】
データ受信装置にデータを送信する送信手段と、
前記データ受信装置の受信誤り率を測定する測定手段と、
測定された受信誤り率と目標値を比較する比較手段と、を有し、
前記送信手段は、
前記データ受信装置からデータ再送が要求され且つ測定された受信誤り率が目標値よりも高い場合、前記データ受信装置にデータを再送する一方、前記データ受信装置からデータ再送が要求され且つ測定された受信誤り率が目標値よりも低い場合、前記データ受信装置にデータを再送しない、
データ送信装置。
【請求項６】
肯定応答信号または否定応答信号を受信する受信手段と、
受信された肯定応答信号または否定応答信号の誤判定率を算出する算出手段と、をさらに有し、
前記測定手段は、
受信された肯定応答信号または否定応答信号を用いて受信誤り率を測定するとともに、測定された受信誤り率を、算出された誤判定率で補正する、
請求項５記載のデータ送信装置。
【請求項７】
肯定応答信号または否定応答信号を受信する受信手段をさらに有し、
前記測定手段は、
受信された肯定応答信号または否定応答信号を用いて受信誤り率を測定するとともに、測定された受信誤り率を、肯定応答信号または否定応答信号の所定の誤判定率で補正する、
請求項５記載のデータ送信装置。
【請求項８】
前記送信手段は、
測定された受信誤り率が目標値よりも低い場合、第１の新規データを破棄して、第１の新規データの代わりに第２の新規データを送信し、
前記測定手段は、
第１の新規データの破棄をデータ誤りとしてカウントし、受信誤り率を測定する、
請求項５記載のデータ送信装置。
【請求項９】
請求項１記載のデータ通信装置を有する基地局装置。
【請求項１０】
請求項１記載のデータ通信装置を有する移動局装置。
【請求項１１】
データの受信誤り率を取得する取得ステップと、
取得された受信誤り率と目標値を比較する比較ステップと、
前記比較ステップでの比較の結果、取得された受信誤り率が目標値よりも低い場合、データ再送を回避する処理を行う処理ステップと、
を有する再送制御方法。
【発明の詳細な説明】
【技術分野】
【０００１】  本発明は、データ通信装置、データ受信装置、データ送信装置および再送制御方法に関する。
【背景技術】
【０００２】  近年、次世代の移動通信システムに向けて例えば１００Ｍｂｐｓを超えるデータレートを実現すべく、様々な高速パケット伝送方式が検討されている。高速パケット伝送においては、誤り制御技術としてＡＲＱ（Ａｕｔｏｍａｔｉｃ  Ｒｅｐｅａｔ  ｒｅＱｕｅｓｔ）方式が用いられることがある。従来のＡＲＱ方式では、受信側で受信パケットのビット誤りの有無を判定し、誤りが検出されれば再送要求信号としてＮＡＣＫ信号（否定応答信号）を送信側にフィードバックし、誤りが検出されなければＡＣＫ信号（肯定応答信号）を送信側にフィードバックする。送信側はＮＡＣＫ信号を受信した場合（または、ＡＣＫ信号を受信しなかった場合）、前回送信したパケットを再送する（例えば、非特許文献１参照）。また、ＡＲＱにおいては、再送の上限回数すなわち最大再送回数が設定される。最大再送回数の設定方法の一つとして、回線品質に応じた再送回数を設定する方法（例えば、特許文献１）がある。なお、ＡＣＫ信号およびＮＡＣＫ信号の総称を「応答信号」と定義する。
【特許文献１】特開平１−５４８３９号公報
【非特許文献１】「移動通信」、笹岡秀一、オーム社、ｐｐ．２３６−２３７
【発明の開示】
【発明が解決しようとする課題】
【０００３】  しかしながら、従来のＡＲＱ方式では、誤りが検出されたときに最大再送回数以内であれば必ず再送が行われる。このため、例えば音声データや動画データなど所要誤り率の比較的高いメディアのデータをパケット化して伝送するときに、実際のパケット誤り率が所要パケット誤り率に比べて過剰に低くなるほど余分な再送が行われることがある。このようなことは、従来のＡＲＱ方式においても、最大再送回数を適切に設定することにより防止できるが、移動通信システムにおいては、時々刻々と伝搬路特性が変化するため、常に適切な最大再送回数を設定することは困難である。このように、従来のＡＲＱ方式においては、余分な再送が行われることにより、伝送効率が低下する。【０００４】  本発明の目的は、かかる点に鑑みてなされたもので、伝送効率を向上させることができるデータ通信装置、データ受信装置、データ送信装置および再送制御方法を提供することである。
【課題を解決するための手段】
【０００５】  本発明のデータ通信装置は、データの受信誤り率を取得する取得手段と、取得された受信誤り率と目標値を比較する比較手段と、前記比較手段による比較の結果、取得された受信誤り率が目標値よりも低い場合、データ再送を回避する処理を行う処理手段と、を有する構成を採る。【０００６】  本発明の再送制御方法は、データの受信誤り率を取得する取得ステップと、取得された受信誤り率と目標値を比較する比較ステップと、前記比較ステップでの比較の結果、取得された受信誤り率が目標値よりも低い場合、データ再送を回避する処理を行う処理ステップと、を有するようにした。
【発明の効果】
【０００７】  本発明によれば、伝送効率を向上させることができる。
【図面の簡単な説明】
【０００８】
【図１】本発明の実施の形態１に係る移動局の構成を示すブロック図
【図２】本発明の実施の形態１に係る応答信号生成動作を説明するためのフロー図
【図３】本発明の実施の形態１に係る送受信動作を説明するための図
【図４】本発明の実施の形態２に係る移動局の構成を示すブロック図
【図５】本発明の実施の形態２に係るＳＩＲとＢＥＲの対応関係を示す図
【図６】本発明の実施の形態２に係る応答信号生成動作を説明するためのフロー図
【図７】本発明の実施の形態３に係る基地局の構成を示すブロック図
【図８】本発明の実施の形態３に係る再送判定動作を説明するためのフロー図
【図９】本発明の実施の形態３に係る送受信動作を説明するための図
【図１０】本発明の実施の形態４に係る基地局の構成を示すブロック図
【図１１】本発明の実施の形態４に係るＳＩＲと誤判定率の対応関係を示す図
【図１２】本発明の実施の形態５に係る基地局の構成を示すブロック図
【図１３】本発明の実施の形態６に係る基地局の構成を示すブロック図
【図１４】本発明の実施の形態６に係る送信判定動作を説明するためのフロー図
【図１５】本発明の実施の形態６に係る送受信動作を説明するための図
【発明を実施するための最良の形態】
【０００９】  以下、本発明の実施の形態について、図面を用いて詳細に説明する。【００１０】  （実施の形態１）
図１は、本発明の実施の形態１に係るデータ通信装置を備えた移動局装置（以下「移動局」と略記する）の構成を示すブロック図である。本実施の形態の移動局１００はデータ受信装置として用いられ、データ送信装置としての基地局装置（以下「基地局」と略記する）から送信されたパケットデータを受信する。また、受信したパケットデータに関して再送要求する場合はＮＡＣＫ信号、再送要求しない場合はＡＣＫ信号を送信する。【００１１】  移動局１００は、アンテナ１０２、受信無線処理部１０４、信号分離部１０６、チャネル推定部１０８、復調部１１０、１１２、復号部１１４、１１６、誤り検出部１１８、誤り率測定部１２０、ＡＣＫ／ＮＡＣＫ生成部１２２、符号化部１２４、１２６、変調部１２８、１３０、多重部１３２および送信無線処理部１３４を有する。【００１２】  受信無線処理部１０４は、基地局から送信された信号を、アンテナ１０２を介して受信する。そして、受信信号に対して所定の受信無線処理（例えば、ダウンコンバート、Ａ／Ｄ変換など）を施す。受信無線処理を施された受信信号は信号分離部１０６に出力される。【００１３】  信号分離部１０６は、受信信号において例えばコード多重、時間多重または周波数多重などにより多重されている制御チャネル、データチャネルおよびパイロットチャネルを分離する。そして、制御チャネルの制御情報を復調部１１０に、データチャネルのデータ信号を復調部１１２に、パイロットチャネルのパイロット信号をチャネル推定部１０８に、それぞれ出力する。【００１４】  チャネル推定部１０８は、入力されたパイロット信号を用いてチャネル推定を行う。復調部１１０は、チャネル推定結果に基づいて、制御情報を復調する。復調部１１２は、チャネル推定結果に基づいて、データ信号を復調する。復号部１１４は、復調された制御情報を復号する。復号部１１６は、復調されたデータ信号を復号する。復号されたデータ信号は受信データとして出力される。【００１５】  誤り検出部１１８は、ＣＲＣ（Ｃｙｃｌｉｃ  Ｒｅｄｕｎｄａｎｃｙ  Ｃｈｅｃｋ）により誤り検出処理を行う、すなわち、復号部１１６で復号された受信データの誤りをフレーム単位で検出する。そして、誤り検出処理の結果（以下「ＣＲＣ結果」と言う）を誤り率測定部１２０およびＡＣＫ／ＮＡＣＫ生成部１２２に通知する。【００１６】  誤り率測定部１２０は、取得手段として受信誤り率を取得する。また、誤り率測定部１２０は、予め定められたパケット誤り率（ＰＥＲ）測定期間（例えばＮフレーム）のＰＥＲを、ＣＲＣ結果に基づいて測定する。以下、測定されたＰＥＲを測定ＰＥＲと略記する。測定ＰＥＲは、ＡＣＫ／ＮＡＣＫ生成部１２２に出力される。【００１７】  ＡＣＫ／ＮＡＣＫ生成部１２２は、復号部１１４によって復号された制御情報のうち、所要ＰＥＲを示す所要ＰＥＲ情報を取得する。所要ＰＥＲは、測定ＰＥＲの目標値としての機能を有する。また、ＡＣＫ／ＮＡＣＫ生成部１２２は、測定ＰＥＲ、所要ＰＥＲおよびＣＲＣ結果に基づいて、ＡＣＫ信号またはＮＡＣＫ信号のいずれかを生成し、符号化部１２４に出力する。ＡＣＫ信号およびＮＡＣＫ信号の生成動作の詳細について後で説明する。【００１８】  なお、本実���の形態のデータ通信装置は、誤り率測定部１２０およびＡＣＫ／ＮＡＣＫ生成部１２２により構成される。【００１９】  符号化部１２４は、入力されたＡＣＫ信号またはＮＡＣＫ信号を符号化する。符号化部１２６は、送信データを符号化する。変調部１２８は、符号化部１２４で符号化されたＡＣＫ信号またはＮＡＣＫ信号を変調する。変調部１３０は、符号化部１２６で符号化された送信データを変調する。多重部１３２は、変調されたＡＣＫ信号またはＮＡＣＫ信号および変調された送信データを、例えばコード多重、時間多重または周波数多重などの多重方法で多重する。送信無線処理部１３４は、多重された信号に対して所定の送信無線処理（例えば、Ｄ／Ａ変換、アップコンバートなど）を施して、アンテナ１０２を介して基地局に送信する。【００２０】  以下、ＡＣＫ／ＮＡＣＫ生成部１２２の応答信号生成動作について説明する。図２は、ＡＣＫ／ＮＡＣＫ生成部１２２の応答信号生成動作を説明するためのフロー図である。【００２１】  まず、ステップＳＴ１０００では、ＣＲＣ結果に基づいて、受信データの誤りが検出されたか否かを判定する。この判定処理の結果、誤りが検出された場合（ＳＴ１０００：ＹＥＳ）、ステップＳＴ１１００に進み、誤りが検出されなかった場合（ＳＴ１０００：ＮＯ）、ステップＳＴ１４００に進む。【００２２】  ステップＳＴ１１００では、比較手段として、測定ＰＥＲと所要ＰＥＲを比較する。この比較の結果、測定ＰＥＲが所要ＰＥＲよりも低い場合（ＳＴ１１００：ＹＥＳ）、ステップＳＴ１２００に進み、測定ＰＥＲが所要ＰＥＲと等しい場合または測定ＰＥＲが所要ＰＥＲよりも高い場合（ＳＴ１１００：ＮＯ）、ステップＳＴ１３００に進む。【００２３】  ステップＳＴ１２００では、処理手段として、基地局のデータ再送を回避する処理を行う。具体的には、要求手段としてＡＣＫ信号を生成して、符号化部１２４に出力する。これにより、受信データに誤りが検出されている場合でも、伝送品質が過剰に良好な状況においては、ＡＣＫ信号が移動局１００から基地局に送信されることとなる。【００２４】  ステップＳＴ１３００では、要求手段としてＮＡＣＫ信号を生成して、符号化部１２４に出力する。ステップＳＴ１４００では、要求手段としてＡＣＫ信号を生成して、符号化部１２４に出力する。【００２５】  なお、ステップＳＴ１０００、ＳＴ１１００の処理順序は上記の逆でも良い。【００２６】  次いで、上記構成を有する移動局１００の送受信動作について説明する。図３は、移動局１００の送受信動作を説明するための図である。なお、この例示においては、ＰＥＲ測定期間は、１０フレームに設定されている。また、所要ＰＥＲは０．１５に設定されている。また、図３において、○印は、誤り検出処理において受信データの誤りが検出されなかったことを表し、×印は、誤り検出処理において受信データの誤りが検出されたことを表す。【００２７】  まず、基地局からフレーム＃１の新規パケットデータが送信され、移動局１００はこれを受信する。この受信データにおいては誤りが検出されていないので、移動局１００は、ＡＣＫ信号を基地局にフィードバックする。ＡＣＫ信号を受信した基地局は、フレーム＃２の新��パケットデータを送信する。この例示においては、前述の動作がフレーム＃９まで繰り返される。【００２８】  そして、移動局１００が基地局から受信したフレーム＃１０の新規パケットデータにおいて、誤りが検出される。このとき、ＰＥＲ測定期間の測定ＰＥＲは０．１０であり、所要ＰＥＲよりも低い。よって、移動局１００は、ＮＡＣＫ信号ではなく、ＡＣＫ信号を基地局に送信する。この結果、基地局は、フレーム＃１０のパケットデータと同一のパケットデータの再送を行わず、フレーム＃１１では、新規パケットデータを送信する。【００２９】  このように、本実施の形態によれば、受信したパケットデータの誤り検出結果に応じてＡＣＫ信号またはＮＡＣＫ信号のいずれかを送信する移動局１００において、測定ＰＥＲが所要ＰＥＲよりも低い場合、パケットデータ再送を回避する処理を行うため、測定ＰＥＲが所要ＰＥＲに満たないときのみ、基地局に再送を行わせることができ、過剰な再送を回避することができ、伝送効率を向上させることができる。【００３０】  なお、本実施の形態では、ＮＡＣＫ信号を生成して送信する移動局を例にとって説明したが、ＮＡＣＫ信号を生成しない移動局にも、本発明を適用することができる。この場合、誤りが検出され且つ測定ＰＥＲが所要ＰＥＲ以上のときには、応答信号としては何も送信されない。これにより、誤りが検出されなかったときにＡＣＫ信号を送信し誤りが検出されたときには何も送信しない移動局において、上記と同様の作用効果を実現することができる。【００３１】  また、ＡＣＫ信号を生成しない移動局にも本発明を適用することができる。この場合、誤りが検出されないとき、または、誤りが検出され且つ測定ＰＥＲが所要ＰＥＲより低いときには、応答信号としては何も送信されない。これにより、誤りが検出されたときにＮＡＣＫ信号を送信し誤りが検出されなかったときには何も送信しない移動局において、上記と同様の作用効果を実現することができる。【００３２】  また、本実施の形態では、移動局をデータ受信装置として使用し且つ基地局をデータ送信装置として使用した場合を例にとって説明したが、移動局をデータ送信装置として使用し且つ基地局をデータ受信装置として使用した場合にも、本発明を適用することができる。【００３３】  （実施の形態２）
図４は、本発明の実施の形態２に係るデータ通信装置を備えた移動局の構成を示すブロック図である。なお、本実施の形態の移動局２００はデータ受信装置として用いられ、データ送信装置としての基地局から送信されたパケットデータを受信する。移動局２００は、実施の形態１で説明した移動局１００と同様の基本的構成を有し、実施の形態１で説明したものと同一の構成要素には同一の参照符号を付し、その詳細な説明を省略する。【００３４】  移動局２００は、移動局１００の構成に受信品質測定部２０２を加え、さらに、移動局１００の誤り率測定部１２０およびＡＣＫ／ＮＡＣＫ生成部１２２の代わりに誤り率測定部２０４およびＡＣＫ／ＮＡＣＫ生成部２０６を設けた構成となっている。【００３５】  受信品質測定部２０２は、データチャネルのチャネル品質として受信ＳＩＲ（Ｓｉｇｎａｌ  ｔｏ  Ｉｎｔｅｒｆｅｒｅｎｃｅ  Ｒａｔｉｏ）を測定する。また、測定期間（例えばＮフレーム）中の受信ＳＩＲの平均値（平均受信ＳＩＲ）を算出する。算出された平均受信ＳＩＲは、誤り率測定部２０４に出力される。誤り率測定部２０４は、平均受信ＳＩＲからビット誤り率（ＢＥＲ）を推定することにより、ＢＥＲの測定を行う。以下、測定されたＢＥＲを測定ＢＥＲと略記する。測定ＢＥＲは、ＡＣＫ／ＮＡＣＫ生成部２０６に出力される。このように、受信品質測定部２０２および誤り率測定部２０４の組み合わせは、取得手段として、受信誤り率を取得する。【００３６】  上記のＢＥＲの推定は、平均受信ＳＩＲとＢＥＲとの対応関係に基づいて行われる。この対応関係は誤り率測定部２０４に予め記憶されている。例えば図５に示されるような対応関係が記憶されている場合を仮定する。この場合、入力された平均受信ＳＩＲの値が８ｄＢのときは、ＢＥＲの値として０．０３が出力される。【００３７】  ＡＣＫ／ＮＡＣＫ生成部２０６は、復号部１１４によって復号された制御情報のうち、所要ＢＥＲを示す所要ＢＥＲ情報を取得する。所要ＢＥＲは、測定ＢＥＲの目標値としての機能を有する。また、ＡＣＫ／ＮＡＣＫ生成部２０６は、測定ＢＥＲ、所要ＢＥＲおよびＣＲＣ結果に基づいて、ＡＣＫ信号またはＮＡＣＫ信号のいずれかを生成し、符号化部１２４に出力する。ＡＣＫ信号およびＮＡＣＫ信号の生成動作の詳細については後で説明する。【００３８】  なお、本実施の形態のデータ通信装置は、受信品質測定部２０２、誤り率測定部２０４およびＡＣＫ／ＮＡＣＫ生成部２０６により構成される。【００３９】  以下、ＡＣＫ／ＮＡＣＫ生成部２０６の応答信号生成動作について説明する。図６は、ＡＣＫ／ＮＡＣＫ生成部２０６の応答信号生成動作を説明するためのフロー図である。【００４０】  前述のステップＳＴ１０００での判定処理の結果、誤りが検出された場合（ＳＴ１０００：ＹＥＳ）、ステップＳＴ１１１０に進み、誤りが検出されなかった場合（ＳＴ１０００：ＮＯ）、前述のステップＳＴ１４００に進む。【００４１】  ステップＳＴ１１１０では、比較手段として、測定ＢＥＲと所要ＢＥＲを比較する。この比較の結果、測定ＢＥＲが所要ＢＥＲよりも低い場合（ＳＴ１１１０：ＹＥＳ）、前述のステップＳＴ１２００に進み、測定ＢＥＲが所要ＢＥＲと等しい��合または測定ＢＥＲが所要ＢＥＲよりも高い場合（ＳＴ１１１０：ＮＯ）、前述のステップＳＴ１３００に進む。【００４２】  なお、ステップＳＴ１０００、ＳＴ１１１０の処理順序は上記の逆でも良い。【００４３】  このように、本実施の形態によれば、受信誤り率の目標値がＢＥＲで定義されている場合に、受信したパケットデータの誤り検出結果に応じてＡＣＫ信号またはＮＡＣＫ信号のいずれかを送信する移動局２００において、測定ＢＥＲが所要ＢＥＲよりも低い場合、パケットデータ再送を回避する処理を行うため、測定ＢＥＲが所要ＢＥＲに満たないときのみ、基地局に再送を行わせることができ、過剰な再送を回避することができ、伝送効率を向上させることができる。さらに、ＢＥＲは、ＰＥＲに比べて、比較的短い測定期間でも高精度に推定することができるため、受信誤り率の変動に対する再送制御の追従性を向上させることができる。【００４４】  なお、本実施の形態では、ＮＡＣＫ信号を生成して送信する移動局を例にとって説明したが、ＮＡＣＫ信号を生成しない移動局にも、本発明を適用することができる。この場合、誤りが検出され且つ測定ＢＥＲが所要ＢＥＲ以上のときには、応答信号としては何も送信されない。これにより、誤りが検出されなかったときにＡＣＫ信号を送信し誤りが検出されたときには何も送信しない移動局において、上記と同様の作用効果を実現することができる。【００４５】  また、ＡＣＫ信号を生成しない移動局にも本発明を適用することができる。この場合、誤りが検出されないとき、または、誤りが検出され且つ測定ＢＥＲが所要ＢＥＲより低いときには、応答信号としては何も送信されない。これにより、誤りが検出されたときにＮＡＣＫ信号を送信し誤りが検出されなかったときには何も送信しない移動局において、上記と同様の作用効果を実現することができる。【００４６】  また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。【００４７】  （実施の形態３）
図７は、本発明の実施の形態３に係るデータ通信装置を備えた基地局の構成を示すブロック図である。本実施の形態の基地局３００はデータ送信装置として用いられ、データ受信装置としての移動局にパケットデータを送信する。【００４８】  基地局３００は、アンテナ３０２、受信無線処理部３０４、信号分離部３０６、チャネル推定部３０８、復調部３１０、３１２、復号部３１４、３１６、誤り率測定部３１８、再送判定部３２０、再送制御部３２２、符号化部３２４、３２６、変調部３２８、３３０、多重部３３２および送信無線処理部３３４を有する。【００４９】  受信無線処理部３０４は、移動局から送信された信号を、アンテナ３０２を介して受信する。そして、受信信号に対して所定の受信無線処理（例えば、ダウンコンバート、Ａ／Ｄ変換など）を施す。受信無線処理を施された受信信号は信号分離部３０６に出力される。【００５０】  信号分離部３０６は、受信信号において例えばコード多重、時間多重または周波数多重などにより多重されている制御チャネル、データチャネルおよびパイロットチャネルを分離する。そして、制御チャネルの制御情報を復調部３１０に、データチャネルのデータ信号を復調部３１２に、パイロットチャネルのパイロット信号をチャネル推定部３０８に、それぞれ出力する。【００５１】  チャネル推定部３０８は、入力されたパイロット信号を用いてチャネル推定を行う。復調部３１０は、チャネル推定結果に基づいて、データ信号を復調する。復調部３１２は、チャネル推定結果に基づいて、制御情報を復調する。復号部３１４は、復調されたデータ信号を復号する。復号されたデータ信号は受信データとして出力される。復号部３１６は、復調された制御情報を復号する。【００５２】  誤り率測定部３１８は、取得手段として、移動局の受信誤り率を取得する。具体的には、復号された制御情報のうち移動局からフィードバックされたＡＣＫ信号およびＮＡＣＫ信号を用いて、移動局のＰＥＲを測定する。測定ＰＥＲは再送判定部３２０に出力される。【００５３】  再送判定部３２０は、無線ネットワーク制御局から所要ＰＥＲの通知を受ける。また、復号された制御情報のうち移動局からフィードバックされたＡＣＫ信号およびＮＡＣＫ信号を取得する。また、再送判定部３２０は、測定ＰＥＲ、所要ＰＥＲおよびＡＣＫ信号／ＮＡＣＫ信号に基づいて再送判定を行い、新規パケット送信またはパケット再送のいずれかの実行を再送制御部３２２に指示する。また、あるパケットデータの再送回数が所定値（最大再送回数）を超過する場合、そのパケットデータの再送は行われない。最大再送回数は、無線ネットワーク制御局により、許容される遅延量に基づいて予め決められている。また再送判定の結果は、符号化部３２４に通知される。再送判定動作の詳細については後で説明する。【００５４】  なお、本実施の形態のデータ通信装置は、誤り率測定部３１８および再送判定部３２０により構成される。【００５５】  再送制御部３２２は、送信データを保存する。そして、再送判定部３２０からパケット再送を指示された場合、保存された送信データを再送パケットデータとして符号化部３２６に出力する。また、再送判定部３２０から新規パケット送信��指示された場合、新規パケットデータを符号化部３２６に出力する。【００５６】  符号化部３２４は、再送判定結果に対応する制御情報を符号化する。符号化部３２６は、再送制御部３２２から入力されたパケットデータを符号化する。変調部３２８は、符号化部３２４で符号化された信号を変調する。変調部３３０は、符号化部３２６で符号化された信号を変調する。多重部３３２は、変調部３２８、３３０で変調された信号を、例えばコード多重、時間多重または周波数多重などの多重方法で多重する。送信無線処理部３３４は、多重された信号に対して所定の送信無線処理（例えば、Ｄ／Ａ変換、アップコンバートなど）を施して、アンテナ３０２を介して移動局に送信する。【００５７】  以下、再送判定部３２０の再送判定動作について説明する。図８は、再送判定部３２０の再送判定動作を説明するためのフロー図である。【００５８】  まず、ステップＳＴ３０００では、移動局からフィードバックされた応答信号がＡＣＫ信号かＮＡＣＫ信号かに基づいて、移動局で受信データの誤りが検出されたか否かを判定する。この判定処理の結果、誤りが検出された（つまりＮＡＣＫ信号がフィードバックされた）場合（ＳＴ３０００：ＹＥＳ）、ステップＳＴ３１００に進み、誤りが検出されなかった（つまりＡＣＫ信号がフィードバックされた）場合（ＳＴ３０００：ＮＯ）、ステップＳＴ３４００に進む。【００５９】  ステップＳＴ３１００では、比較手段として、測定ＰＥＲと所要ＰＥＲを比較する。この比較の結果、測定ＰＥＲが所要ＰＥＲよりも低い場合（ＳＴ３１００：ＹＥＳ）、ステップＳＴ３２００に進み、測定ＰＥＲが所要ＰＥＲと等しい場合または測定ＰＥＲが所要ＰＥＲよりも高い場合（ＳＴ３１００：ＮＯ）、ステップＳＴ３３００に進む。【００６０】  ステップＳＴ３２００では、処理手段として、移動局に対するデータ再送を回避する処理を行う。具体的には、新規パケット送信の実行を決定し、その旨を再送制御部３２２に指示する。これにより、移動局での受信データに誤りが検出されている場合でも、伝送品質が過剰に良好な状況においては、新規パケットデータが基地局３００から移動局に送信されることとなる。【００６１】  ステップＳＴ３３００では、パケット再送の実行を決定し、その旨を再送制御部３２２に指示する。ステップＳＴ３４００では、新規パケット送信の実行を決定し、その旨を再送制御部３２２に指示する。【００６２】  なお、ステップＳＴ３０００、ＳＴ３１００の処理順序は上記の逆でも良い。【００６３】  次いで、上記構成を有する基地局３００の送受信動作について説明する。図９は、基地局３００の送受信動作を説明するための図である。なお、この例示においては、ＰＥＲ測定期間は、１０フレームに設定されている。また、所要ＰＥＲは０．１５に設定されている。また、図９において、○印は、誤り検出処理において受信データの誤りが検出されなかったことを表し、×印は、誤り検出処理において受信データの誤りが検出されたことを表す。【００６４】  まず、基地局３００からフレーム＃１の新規パケットデータが送信され、移動局はこれを受信する。この受信データにおいては誤りが検出されていないので、移動局は、ＡＣＫ信号を基地局３００にフィードバックする。ＡＣＫ信号を受信した基地局３００は、フレーム＃２の新規パケットデータを送信する。この例示においては、前述の動作がフレーム＃９まで繰り返される。【００６５】  そして、移動局が基地局３００から受信したフレーム＃１０の新規パケットデータにおいて誤りが検出されたとき、移動局はＮＡＣＫ信号を基地局３００にフィードバックする。このとき、ＰＥＲ測定期間の測定ＰＥＲは０．１０であり、所要ＰＥＲよりも低い。よって、基地局３００は、フレーム＃１０のパケットデータと同一のパケットデータの再送を行わず、フレーム＃１１では、新規パケットデータを送信する。【００６６】  このように、本実施の形態によれば、移動局からＡＣＫ信号またはＮＡＣＫ信号のいずれかを受信する基地局３００において、測定ＰＥＲが所要ＰＥＲよりも低い場合、パケットデータ再送を回避する処理を行うため、測定ＰＥＲが所要ＰＥＲに満たないときのみ、再送を行うことができ、過剰な再送を回避することができ、伝送効率を向上させることができる。【００６７】  なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部３１８では、移動局からフィードバックされるＡＣＫ信号を用いてＰＥＲを測定する。また、再送判定部３２０では、移動局からＡＣＫ信号がフィードバックされなかった場合は、誤りが検出されたと判定する。これにより、移動局からＡＣＫ信号のみを受信する基地局において、上記と同様の作用効果を実現することができる。【００６８】  また、移動局からＡＣＫ信号を受信しない基地局にも、本発明を適用することができる。この場合、誤り率測定部３１８では、移動局からフィードバックされるＮＡＣＫ信号を用いてＰＥＲを測定する。また、再送判定部３２０では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。【００６９】  また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。【００７０】  （実施の形態４）
図１０は、本発明の実施の形態４に係るデータ通信装置を備えた基地局４００の構成を示すブロック図である。なお、本実施の形態の基地局４００はデータ送信装置として用いられ、データ受信装置としての移動局にパケットデータを送信する。基地局４００は、実施の形態３で説明した基地局３００と同様の基本的構成を有し、実施の形態３で説明したものと同一の構成要素には同一の参照符号を付し、その詳細な説明を省略する。【００７１】  基地局４００は、基地局３００の構成に受信品質測定部４０２を加え、さらに、基地局３００の誤り率測定部３１８の代わりに誤り率測定部４０４を有する構成となっている。【００７２】  受信品質測定部４０２は、信号分離部３０６から入力されたパイロット信号を用いて、応答信号が伝送されるチャネルの受信ＳＩＲを測定し、所定期間中の受信ＳＩＲの平均値（平均受信ＳＩＲ）を算出する。算出された平均受信ＳＩＲは誤り率測定部４０４に出力される。【００７３】  誤り率測定部４０４は、取得手段として、移動局の受信誤り率を取得する。具体的には、復号された制御情報のうち移動局からフィードバックされたＡＣＫ信号およびＮＡＣＫ信号を用いて、移動局のＰＥＲを測定する。【００７４】  また、誤り率測定部４０４は、算出手段として、入力された平均受信ＳＩＲに基づいてＡＣＫ誤判定率およびＮＡＣＫ誤判定率を算出する。さらに、誤り率測定部４０４は、算出されたＡＣＫ誤判定率およびＮＡＣＫ誤判定率を用いて、測定ＰＥＲを補正する。【００７５】  なお、本実施の形態のデータ通信装置は、受信品質測定部４０２、誤り率測定部４０４および再送判定部３２０によって構成されている。【００７６】  誤り率測定部４０４でのＡＣＫ誤判定率およびＮＡＣＫ誤判定率の算出は、平均受信ＳＩＲと誤判定率との対応関係に基づいて行われる。例えば図１１に示されるような対応関係が誤り率測定部４０４に予め記憶されており、これを用いて各誤判定率が算出される。なお、ＡＣＫ誤判定率は、ＡＣＫ信号が誤ってＮＡＣＫ信号と判定される確率であり、ＮＡＣＫ誤判定率は、ＮＡＣＫ信号が誤ってＡＣＫ信号と判定される確率である。【００７７】  また、誤り率測定部４０４での測定ＰＥＲの補正は、下記の式（１）によって行われる。式（１）において、ＮはＰＥＲ測定期間中の総パケット数を、ＮＮＡＣＫはＰＥＲ測定期間中に受信したＮＡＣＫ信号の数を、ＮＡＣＫはＰＥＲ期間中に受信したＡＣＫ信号の数を、ＰＮＡＣＫはＮＡＣＫ誤判定率を、ＰＡＣＫはＡＣＫ誤判定率を、それぞれ表す。
ＰＥＲ＝（ＮＮＡＣＫ＋ＮＮＡＣＫ×ＰＮＡＣＫ−ＮＡＣＫ×ＰＡＣＫ）／Ｎ…（１）【００７８】  すなわち、上記の式（１）において、分子の第２項（ＮＮＡＣＫ×ＰＮＡＣＫ）は、移動局から送信されたＮＡＣＫ信号を基地局４００が誤ってＡＣＫ信号として受信した回数を表している。例えば、ＰＮＡＣＫ＝０．１、ＮＮＡＣＫ＝１００の場合、１０個のＮＡＣＫ信号がＡＣＫ信号として受信されたはずである。よって、この場合は、ＮＮＡＣＫに対して１０が加算される。【００７９】  また、分子の第３項（ＮＡＣＫ×ＰＡＣＫ）は、移動局から送信されたＡＣＫ信号を基地局４００が誤ってＮＡＣＫ信号として受信した回数を表している。例えば、ＰＡＣＫ＝０．１、ＮＡＣＫ＝３００の場合、３０個のＡＣＫ信号がＮＡＣＫ信号として受信されたはずである。よって、この場合は、ＮＮＡＣＫから３０が減算される。【００８０】  このように、本実施の形態によれば、実施の形態３で説明したものと同様の作用効果を実現することができるだけでなく、ＡＣＫ信号またはＮＡＣＫ信号の誤判定率が変動するシステムにおいて、ＰＥＲの測定精度を向上させることができる。【００８１】  なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部４０４では、移動局からフィードバックされるＡＣＫ信号を用いてＰＥＲを測定する。また、平均受信ＳＩＲに基づいてＡＣＫ誤判定率を算出し、算出されたＡＣＫ誤判定率を用いて測定ＰＥＲを補正する。さらに、再送判定部３２０では、移動局からＡＣＫ信号がフィードバックされなかった場合は、誤りが検出されたと判定する。これにより、移動局からＡＣＫ信号のみを受信する基地局において、上記と同様の作用効果を実現することができる。【００８２】  また、移動局からＡＣＫ信号を受信しない基地局にも、本発明を適用することができる。この場合、誤り率測定部４０４では、移動局からフィードバックされるＮＡＣＫ信号を用いてＰＥＲを測定する。また、平均受信ＳＩＲに基づいてＮＡＣＫ誤判定率を算出し、算出されたＮＡＣＫ誤判定率を用いて測定ＰＥＲを補正する。さらに、再送判定部３２０では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。【００８３】  また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。【００８４】  （実施の形態５）
図１２は、本発明の実施の形態５に係るデータ通信装置を備えた基地局の構成を示すブロック図である。なお、本実施の形態の基地局５００はデータ送信装置として用いられ、データ受信装置としての移動局にパケットデータを送信する。基地局５００は、実施の形態３で説明した基地局３００と同様の基本的構成を有し、実施の形態３または実施の形態４で説明したものと同一の構成要素には同一の参照符号を付し、その詳細な説明を省略する。【００８５】  本実施の形態では、移動局からＡＣＫ信号およびＮＡＣＫ信号が伝送されるチャネルが送信電力制御される場合を想定する。【００８６】  基地局５００は、基地局３００の誤り率測定部３１８の代わりに誤り率測定部５０２を有し、さらに、基地局３００の構成にコマンド生成部５０４および実施の形態４で説明した受信品質測定部４０２を加えた構成となっている。【００８７】  誤り率測定部５０２は、取得手段として、移動局の受信誤り率を取得する。具体的には、復号された制御情報のうち移動局からフィードバックされたＡＣＫ信号およびＮＡＣＫ信号を用いて、移動局のＰＥＲを測定する。【００８８】  また、誤り率測定部５０２は、予め定められたＡＣＫ誤判定率および予め定められたＮＡＣＫ誤判定率を示すＡＣＫ／ＮＡＣＫ目標誤り率情報の通知を受ける。そして、ＡＣＫ誤判定率およびＮＡＣＫ誤判定率を用いて、測定ＰＥＲを補正する。測定ＰＥＲの具体的な補正方法は、実施の形態４で説明した誤り率測定部４０４での補正方法と同様である。【００８９】  なお、本実施の形態のデータ通信装置は、誤り率測定部５０２および再送判定部３２０によって構成されている。【００９０】  コマンド生成部５０４は、受信品質測定部４０２で算出された平均受信ＳＩＲと所定の目標ＳＩＲを比較する。そして、この比較結果に応じて送信電力制御コマンドが生成される。つまり、送信電力制御コマンドは、平均受信ＳＩＲが目標ＳＩＲを満たすように移動局の送信電力を制御するための信号である。送信電力制御コマンドは、送信電力の増減のみを表すものであっても良く、あるいは、増減幅も表すものであっても良い。なお、目標ＳＩＲは、ＡＣＫ／ＮＡＣＫ目標誤り率情報に示されたＡＣＫ誤判定率およびＮＡＣＫ誤判定率に基づいて予め設定されている。【００９１】  このように、本実施の形態によれば、実施の形態３で説明したものと同様の作用効果を実現することができる。さらに、ＡＣＫ信号／ＮＡＣＫ信号の伝送用チャネルの送信電力制御によって実際のＡＣＫ誤判定率および実際のＮＡＣＫ誤判定率が所定値とほぼ一致するようなシステム、換言すれば、ＡＣＫ誤判定率およびＮＡＣＫ誤判定率がほぼ一定となるシステムにおいて、ＰＥＲの測定精度を向上させることができる。【００９２】  なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部５０２では、移動局からフィードバックされるＡＣＫ信号を用いてＰＥＲを測定する。また、所定のＡＣＫ誤判定率を用いて測定ＰＥＲを補正する。さらに、再送判定部３２０では、移動局からＡＣＫ信号がフィードバックされな��った場合は、誤りが検出されたと判定する。これにより、移動局からＡＣＫ信号のみを受信する基地局において、上記と同様の作用効果を実現することができる。【００９３】  また、移動局からＡＣＫ信号を受信しない基地局にも、本発明を適用することができる。この場合、誤り率測定部５０２では、移動局からフィードバックされるＮＡＣＫ信号を用いてＰＥＲを測定する。また、所定のＮＡＣＫ誤判定率を用いて測定ＰＥＲを補正する。さらに、再送判定部３２０では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。【００９４】  また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。【００９５】  （実施の形態６）
図１３は、本発明の実施の形態６に係るデータ通信装置を備えた基地局の構成を示すブロック図である。なお、本実施の形態の基地局６００はデータ送信装置として用いられ、データ受信装置としての移動局にパケットデータを送信する。基地局６００は、実施の形態３で説明した基地局３００と同様の基本的構成を有し、実施の形態３で説明したものと同一の構成要素には同一の参照符号を付し、その詳細な説明を省略する。【００９６】  基地局６００は、基地局３００の誤り率測定部３１８、再送判定部３２０および再送制御部３２２の代わりに、誤り率測定部６０２、送信判定部６０４および送信制御部６０６を有する構成となっている。【００９７】  誤り率測定部６０２は、取得手段として、移動局の受信誤り率を取得する。具体的には、復号された制御情報のうち移動局からフィードバックされたＡＣＫ信号およびＮＡＣＫ信号を用いるとともに、送信判定部６０４から新規パケット破棄の実行が通知された場合に新規パケット破棄をパケット誤りとしてカウントして、移動局のＰＥＲを測定する。すなわち、ＰＥＲは次の式（２）によって計算される。式（２）において、ＮはＰＥＲ測定期間中の総パケット数を、ＮＮＡＣＫはＰＥＲ測定期間中に受信したＮＡＣＫ信号の数を、ＮＤＲＯＰはＰＥＲ測定期間中に破棄された新規パケットの数を、それぞれ表す。
ＰＥＲ＝（ＮＮＡＣＫ＋ＮＤＲＯＰ）／Ｎ…（２）【００９８】  送信判定部６０４は、無線ネットワーク制御局から所要ＰＥＲの通知を受ける。また、復号された制御情報のうち移動局からフィードバックされたＡＣＫ信号およびＮＡＣＫ信号を取得する。また、送信判定部６０４は、測定ＰＥＲ、所要ＰＥＲおよびＡＣＫ信号／ＮＡＣＫ信号に基づいて送信判定を行い、新規パケット送信、新規パケット破棄またはパケット再送のいずれかの実行を送信制御部６０６に指示する。また、あるパケットデータの再送回数が所定値（最大再送回数）を超過する場合、そのパケットデータの再送は行われない。最大再送回数は、無線ネットワーク制御局により、許容される遅延量に基づいて予め決められている。送信判定の結果は、符号化部３２４および誤り率測定部６０２に通知される。送信判定動作の詳細については後で説明する。【００９９】  なお、本実施の形態のデータ通信装置は、誤り率測定部６０２および送信判定部６０４により構成される。【０１００】  送信制御部６０６は、送信データを保存する。そして、送信判定部６０４からパケット再送を指示された場合、保存された送信データを再送パケットデータとして符号化部３２６に出力する。また、送信判定部６０６から新規パケット送信を指示された場合、新規パケットデータを符号化部３２６に出力する。また、送信判定部６０４から新規パケット破棄を指示された場合、新規パケットデータを破棄して、破棄された新規パケットデータの次の（１つ後の）新規パケットデータを符号化部３２６に出力する。【０１０１】  以下、送信判定部６０４の送信判定動作について説明する。図１４は、送信判定部６０４の送信判定動作を説明するためのフロー図である。【０１０２】  まず、ステップＳＴ６０００では、比較手段として、測定ＰＥＲと所要ＰＥＲを比較する。この比較の結果、測定ＰＥＲが所要ＰＥＲよりも低い場合（ＳＴ６０００：ＹＥＳ）、ステップＳＴ６２００に進み、測定ＰＥＲが所要ＰＥＲと等しい場合または測定ＰＥＲが所要ＰＥＲよりも高い場合（ＳＴ６０００：ＮＯ）、ステップＳＴ６１００に進む。【０１０３】  ステップＳＴ６１００では、移動局からフィードバックされた応答信号がＡＣＫ信号かＮＡＣＫ信号かに基づいて、移動局で受信データの誤りが検出されたか否かを判定する。この判定処理の結果、誤りが検出された（つまりＮＡＣＫ信号がフィードバックされた）場合（ＳＴ６１００：ＹＥＳ）、ステップＳＴ６３００に進み、誤りが検出されなかった（つまりＡＣＫ信号がフィードバックされた）場合（ＳＴ６１００：ＮＯ）、ステップＳＴ６４００に進む。【０１０４】  ステップＳＴ６２００では、処理手段として、移動局に対するデータ再送を回避する処理を行う。具体的には、新規パケット破棄の実行を決定し、その旨を送信制御部６０６に指示する。これと同時に、新規パケットデータの破棄を誤り率測定部６０２に報告し、パケット誤りとしてカウントさせる。この処理により、新規パケットデータが破棄され、破棄された新規パケットデータの次の（１つ後の）新規パケットデータが基地局６００から移動局に送信されることとなる。【０１０５】  ステップＳＴ６３００では、パケット再送の実行��決定し、その旨を送信制御部６０６に指示する。ステップＳＴ６４００では、新規パケット送信の実行を決定し、その旨を送信制御部６０６に指示する。【０１０６】  なお、ステップＳＴ６０００、ＳＴ６１００の処理順序は上記の逆でも良い。【０１０７】  次いで、上記構成を有する基地局６００の送受信動作について説明する。図１５は、基地局６００の送受信動作を説明するための図である。なお、この例示においては、ＰＥＲ測定期間は、１０フレームに設定されている。また、所要ＰＥＲは０．１５に設定されている。また、図１５において、○印は、誤り検出処理において受信データの誤りが検出されなかったことを表し、×印は、誤り検出処理において受信データの誤りが検出されたことを表す。【０１０８】  まず、基地局６００からフレーム＃１の新規パケットデータが送信され、移動局はこれを受信する。この受信データにおいては誤りが検出されていないので、移動局は、ＡＣＫ信号を基地局６００にフィードバックする。ＡＣＫ信号を受信した基地局６００は、フレーム＃２の新規パケットデータを送信する。この例示においては、前述の動作がフレーム＃５まで繰り返される。【０１０９】  そして、移動局が基地局６００から受信したフレーム＃６の新規パケットデータにおいて誤りが検出されたとき、移動局はＮＡＣＫ信号を基地局６００にフィードバックする。ＮＡＣＫ信号を受信した基地局６００は、フレーム＃７では、フレーム＃６のパケットデータと同一のパケットデータを再送する（この時点ではＰＥＲが未取得の状態のため、前述の送信判定動作が行われず、従来の再送判定動作が行われるものとする）。【０１１０】  このパケットデータは移動局に正しく受信され、基地局６００にはＡＣＫ信号がフィードバックされる。同様に、フレーム＃８、＃９、＃１０のパケットデータも正しく受信され、基地局６００にはＡＣＫ信号がフィードバックされる。【０１１１】  フレーム＃１〜＃１０の期間を経た時点で得られた測定ＰＥＲは０．１０であり、所要ＰＥＲよりも低い。よって、基地局６００は、フレーム＃１１での送信処理として、新規パケットデータを破棄してその次回分の新規パケットデータを送信する。フレーム＃１１のパケットデータを正しく受信した移動局はＡＣＫ信号を基地局６００にフィードバックし、これに応じて、基地局６００は新規パケットデータをフレーム＃１２で送信する。【０１１２】  このように、本実施の形態によれば、パケットデータの誤りがほとんど発生しない環境においても、パケットデータが過剰品質で伝送されることを回避することができ、前述の各実施の形態で説明したものと同様の作用効果を実現することができる。【０１１３】  なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部６０２では、移動局からフィードバックされるＡＣＫ信号を用いてＰＥＲを測定する。さらに、送信判定部６０４では、移動局からＡＣＫ信号がフィードバックされなかった場合は、誤りが検出されたと判定する。これにより、移動局からＡＣＫ信号のみを受信する基地局において、上記と同��の作用効果を実現することができる。【０１１４】  また、移動局からＡＣＫ信号を受信しない基地局にも、本発明を適用することができる。この場合、誤り率測定部６０２では、移動局からフィードバックされるＮＡＣＫ信号を用いてＰＥＲを測定する。さらに、送信判定部６０４では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。【０１１５】  また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。【０１１６】  以上、本発明に係る各実施の形態について説明した。【０１１７】  本発明に係るデータ通信装置、データ受信装置、データ送信装置および再送制御方法は、上記各実施の形態に限定されず、種々変更して実施することが可能である。例えば、各実施の形態は、適宜組み合わせて実施することが可能である。【０１１８】  また、上記各実施の形態では、本発明をハードウェアで構成する場合を例にとって説明したが、本発明をソフトウェアで実現することも可能である。例えば、本発明に係る再送制御方法のアルゴリズムをプログラミング言語によって記述し、このプログラムをメモリに記憶しておいて情報処理手段によって実行させることにより、本発明に係るデータ通信装置、データ受信装置およびデータ送信装置と同様の機能を実現することができる。【０１１９】  また、上記各実施の形態における基地局はＮｏｄｅ  Ｂ、移動局はＵＥと表されることがある。【０１２０】  また、上記の幾つかの実施の形態では、データチャネルの受信品質の測定を、ＳＩＲを用いて行っているが、ＳＩＲの代わりに、ＳＮＲ、ＳＩＮＲ、ＣＩＲ、ＣＮＲ、ＣＩＮＲ、ＲＳＳＩ、受信強度、受信電力、干渉電力、伝送レート、スループット、干渉量、または、ＭＣＳを用いて品質測定を行うこともできる。なお、受信品質は、ＣＱＩ（Ｃｈａｎｎｅｌ  Ｑｕａｌｉｔｙ  Ｉｎｄｉｃａｔｏｒ）やＣＳＩ（Ｃｈａｎｎｅｌ  Ｓｔａｔｅ  Ｉｎｆｏｒｍａｔｉｏｎ）と表されることがある。【０１２１】  また、上記実施の形態におけるデータチャネルとしては、例えば、３ＧＰＰ（３ｒｄ  Ｇｅｎｅｒａｔｉｏｎ  Ｐａｒｔｎｅｒｓｈｉｐ  Ｐｒｏｊｅｃｔ）規格では、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）、ＤＳＣＨ（Ｄｏｗｎｌｉｎｋ  Ｓｈａｒｅｄ  Ｃｈａｎｎｅｌ）、ＤＰＤＣＨ（Ｄｅｄｉｃａｔｅｄ  Ｐｈｙｓｉｃａｌ  Ｄａｔａ  Ｃｈａｎｎｅｌ）、ＤＣＨ（Ｄｅｄｉｃａｔｅｄ  Ｃｈａｎｎｅｌ）、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）、ＦＡＣＨ（Ｆｏｒｗａｒｄ  Ａｃｃｅｓｓ  Ｃｈａｎｎｅｌ）などがある。また、上記実施の形態における制御チャネルとしては、例えば、３ＧＰＰ規格では、ＨＳ−ＤＳＣＨに付随する（ａｓｓｏｃｉａｔｅｄ）チャネルであるＨＳ−ＳＣＣＨ（Ｈｉｇｈ  Ｓ��ｅｅｄ  Ｓｈａｒｅｄ  Ｃｏｎｔｒｏｌ  Ｃｈａｎｎｅｌ）、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）、ＲＲＭ（Ｒａｄｉｏ  Ｒｅｓｏｕｒｃｅ  Ｍａｎａｇｅｍｅｎｔ）のための制御情報を通知するためのＤＣＣＨ（Ｄｅｄｉｃａｔｅｄ  Ｃｏｎｔｒｏｌ  Ｃｈａｎｎｅｌ）、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）、Ｐ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、ＰＣＨ（Ｐａｇｉｎｇ  Ｃｈａｎｎｅｌ）、ＢＣＨ（Ｂｒｏａｄｃａｓｔ  Ｃｈａｎｎｅｌ）、物理チャネル制御のためのＤＰＣＣＨ（Ｄｅｄｉｃａｔｅｄ  Ｐｈｙｓｉｃａｌ  Ｃｏｎｔｒｏｌ  Ｃｈａｎｎｅｌ）などがある。【０１２２】  また、上記実施の形態の説明に用いたフレームは、サブフレーム、スロット、ブロックなどと表されることがある。【０１２３】  また、上記実施の形態の説明に用いたパケット誤り率はブロック誤り率、ＰＥＲはＢＬＥＲなどと表されることがある。【０１２４】  また、上記各実施の形態の説明に用いた各機能ブロックは、典型的には集積回路であるＬＳＩとして実現される。これらは個別に１チップ化されても良いし、一部又は全てを含むように１チップ化されても良い。【０１２５】  ここでは、ＬＳＩとしたが、集積度の違いにより、ＩＣ、システムＬＳＩ、スーパーＬＳＩ、ウルトラＬＳＩと呼称されることもある。【０１２６】  また、集積回路化の手法はＬＳＩに限るものではなく、専用回路又は汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。【０１２７】  さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。【０１２８】  本明細書は、２００４年１０月２８日出願の特願２００４−３１３９７５に基づく。この内容はすべてここに含めておく。
【産業上の利用可能性】
【０１２９】  本発明のデータ通信装置、データ受信装置、データ送信装置および再送制御方法は、ＡＲＱ方式やＨＡＲＱ方式などの誤り制御技術を採用した移動通信システムの基地局装置や移動局装置などに適用することができる。
【図１】
2006046586.tif 000002
【図２】
2006046586.tif 000003
【図３】
2006046586.tif 000004
【図４】
2006046586.tif 000005
【図５】
2006046586.tif 000006
【図６】
2006046586.tif 000007
【図７】
2006046586.tif 000008
【図８】
2006046586.tif 000009
【図９】
2006046586.tif 000010
【図１０】
2006046586.tif 000011
【図１１】
2006046586.tif 000012
【図１２】
2006046586.tif 000013
【図１３】
2006046586.tif 000014
【図１４】
2006046586.tif 000015
【図１５】
2006046586.tif 000016
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
データの受信誤り率を取得する取得手段と、
取得された受信誤り率と目標値を比較する比較手段と、
前記比較手段による比較の結果、取得された受信誤り率が目標値よりも低い場合、データ再送を回避する処理を行う処理手段と、
を有するデータ通信装置。
【請求項２】
データ送信装置から送信されたデータを受信する受信手段と、
受信データの誤りを検出する検出手段と、
受信データの受信誤り率を測定する測定手段と、
測定された受信誤り率と目標値を比較する比較手段と、
受信データの誤りが検出され且つ測定された受信誤り率が目標値よりも高い場合、前記データ送信装置にデータ再送を要求する一方、受信データの誤りが検出され且つ測定された受信誤り率が目標値よりも低い場合、前記データ送信装置にデータ再送を要求しない要求手段と、
を有するデータ受信装置。
【請求項３】
前記測定手段は、
データ送信に用いられるチャネルのチャネル品質を測定し、測定されたチャネル品質に基づいて受信誤り率を推定する、
請求項２記載のデータ受信装置。
【請求項４】
前記測定手段は、
データ送信に用いられるチャネルのチャネル品質を測定し、測定されたチャネル品質に基づいて受信誤り率を推定する、
請求項２記載のデータ受信装置。
【請求項５】
データ受信装置にデータを送信する送信手段と、
前記データ受信装置の受信誤り率を測定する測定手段と、
測定された受信誤り率と目標値を比較する比較手段と、を有し、
前記送信手段は、
前記データ受信装置からデータ再送が要求され且つ測定された受信誤り率が目標値よりも高い場合、前記データ受信装置にデータを再送する一方、前記データ受信装置からデータ再送が要求され且つ測定された受信誤り率が目標値よりも低い場合、前記データ受信装置にデータを再送しない、
データ送信装置。
【請求項６】
肯定応答信号または否定応答信号を受信する受信手段と、
受信された肯定応答信号または否定応答信号の誤判定率を算出する算出手段と、をさらに有し、
前記測定手段は、
受信された肯定応答信号または否定応答信号を用いて受信誤り率を測定するとともに、測定された受信誤り率を、算出された誤判定率で補正する、
請求項５記載のデータ送信装置。
【請求項７】
肯定応答信号または否定応答信号を受信する受信手段をさらに有し、
前記測定手段は、
受信された肯定応答信号または否定応答信号を用いて受信誤り率を測定するとともに、測定された受信誤り率を、肯定応答信号または否定応答信号の所定の誤判定率で補正する
、
請求項５記載のデータ送信装置。
【請求項８】
前記送信手段は、
測定された受信誤り率が目標値よりも低い場合、第１の新規データを破棄して、第１の新規データの代わりに第２の新規データを送信し、
前記測定手段は、
第１の新規データの破棄をデータ誤りとしてカウントし、受信誤り率を測定する、
請求項５記載のデータ送信装置。
【請求項９】
請求項１記載のデータ通信装置を有する基地局装置。
【請求項１０】
請求項１記載のデータ通信装置を有する移動局装置。
【請求項１１】
データの受信誤り率を取得する取得ステップと、
取得された受信誤り率と目標値を比較する比較ステップと、
前記比較ステップでの比較の結果、取得された受信誤り率が目標値よりも低い場合、データ再送を回避する処理を行う処理ステップと、
を有する再送制御方法。
【手続補正２】
【補正対象書類名】明細書
【補正対象項目名】全文
【補正方法】変更
【補正の内容】
【発明の詳細な説明】
【技術分野】
【０００１】
本発明は、データ通信装置、データ受信装置、データ送信装置および再送制御方法に関する。
【背景技術】
【０００２】
近年、次世代の移動通信システムに向けて例えば１００Ｍｂｐｓを超えるデータレートを実現すべく、様々な高速パケット伝送方式が検討されている。高速パケット伝送においては、誤り制御技術としてＡＲＱ（Automatic Repeat reQuest）方式が用いられることがある。従来のＡＲＱ方式では、受信側で受信パケットのビット誤りの有無を判定し、誤りが検出されれば再送要求信号としてＮＡＣＫ信号（否定応答信号）を送信側にフィードバックし、誤りが検出されなければＡＣＫ信号（肯定応答信号）を送信側にフィードバックする。送信側はＮＡＣＫ信号を受信した場合（または、ＡＣＫ信号を受信しなかった場合）、前回送信したパケットを再送する（例えば、非特許文献１参照）。また、ＡＲＱにおいては、再送の上限回数すなわち最大再送回数が設定される。最大再送回数の設定方法の一つとして、回線品質に応じた再送回数を設定する方法（例えば、特許文献１）がある。なお、ＡＣＫ信号およびＮＡＣＫ信号の総称を「応答信号」と定義する。
【特許文献１】特開平１−５４８３９号公報
【非特許文献１】「移動通信」、笹岡秀一、オーム社、ｐｐ．２３６−２３７
【発明の開示】
【発明が解決しようとする課題】
【０００３】
しかしながら、従来のＡＲＱ方式では、誤りが検出されたときに最大再送回数以内であれば必ず再送が行われる。このため、例えば音声データや動画データなど所要誤り率の比較的高いメディアのデータをパケット化して伝送するときに、実際のパケット誤り率が所要パケット誤り率に比べて過剰に低くなるほど余分な再送が行われることがある。このようなことは、従来のＡＲＱ方式においても、最大再送回数を適切に設定することにより防止できるが、移動通信システムにおいては、時々刻々と伝搬路特性が変化するため、常に適切な最大再送回数を設定することは困難である。このように、従来のＡＲＱ方式においては、余分な再送が行われることにより、伝送効率が低下する。
【０００４】
本発明の目的は、かかる点に鑑みてなされたもので、伝送効率を向上させることができるデータ通信装置、データ受信装置、データ送信装置および再送制御方法を提供することである。
【課題を解決するための手段】
【０００５】
本発明のデータ通信装置は、データの受信誤り率を取得する取得手段と、取得された受信誤り率と目標値を比較する比較手段と、前記比較手段による比較の結果、取得された受信誤り率が目標値よりも低い場合、データ再送を回避する処理を行う処理手段と、を有する構成を採る。
【０００６】
本発明の再送制御方法は、データの受信誤り率を取得する取得ステップと、取得された受信誤り率と目標値を比較する比較ステップと、前記比較ステップでの比較の結果、取得された受信誤り率が目標値よりも低い場合、データ再送を回避する処理を行う処理ステップと、を有するようにした。
【発明の効果】
【０００７】
本発明によれば、伝送効率を向上させることができる。
【発明を実施するための最良の形態】
【０００８】
以下、本発明の実施の形態について、図面を用いて詳細に説明する。
【０００９】
（実施の形態１）
図１は、本発明の実施の形態１に係るデータ通信装置を備えた移動局装置（以下「移動局」と略記する）の構成を示すブロック図である。本実施の形態の移動局１００はデータ受信装置として用いられ、データ送信装置としての基地局装置（以下「基地局」と略記する）から送信されたパケットデータを受信する。また、受信したパケットデータに関して再送要求する場合はＮＡＣＫ信号、再送要求しない場合はＡＣＫ信号を送信する。
【００１０】
移動局１００は、アンテナ１０２、受信無線処理部１０４、信号分離部１０６、チャネル推定部１０８、復調部１１０、１１２、復号部１１４、１１６、誤り検出部１１８、誤り率測定部１２０、ＡＣＫ／ＮＡＣＫ生成部１２２、符号化部１２４、１２６、変調部１２８、１３０、多重部１３２および送信無線処理部１３４を有する。
【００１１】
受信無線処理部１０４は、基地局から送信された信号を、アンテナ１０２を介して受信する。そして、受信信号に対して所定の受信無線処理（例えば、ダウンコンバート、Ａ／Ｄ変換など）を施す。受信無線処理を施された受信信号は信号分離部１０６に出力される。
【００１２】
信号分離部１０６は、受信信号において例えばコード多重、時間多重または周波数多重などにより多重されている制御チャネル、データチャネルおよびパイロットチャネルを分離する。そして、制御チャネルの制御情報を復調部１１０に、データチャネルのデータ信号を復調部１１２に、パイロットチャネルのパイロット信号をチャネル推定部１０８に、それぞれ出力する。
【００１３】
チャネル推定部１０８は、入力されたパイロット信号を用いてチャネル推定を行う。復調部１１０は、チャネル推定結果に基づいて、制御情報を復調する。復調部１１２は、チャネル推定結果に基づいて、データ信号を復調する。復号部１１４は、復調された制御情報を復号する。復号部１１６は、復調されたデータ信号を復号する。復号されたデータ信号は受信データとして出力される。
【００１４】
誤り検出部１１８は、ＣＲＣ（Cyclic Redundancy Check）により誤り検出処理を行う、すなわち、復号部１１６で復号された受信データの誤りをフレーム単位で検出する。そして、誤り検出処理の結果（以下「ＣＲＣ結果」と言う）を誤り率測定部１２０およびＡＣＫ／ＮＡＣＫ生成部１２２に通知する。
【００１５】
誤り率測定部１２０は、取得手段として受信誤り率を取得する。また、誤り率測定部１２０は、予め定められたパケット誤り率（ＰＥＲ）測定期間（例えばＮフレーム）のＰＥＲを、ＣＲＣ結果に基づいて測定する。以下、測定されたＰＥＲを測定ＰＥＲと略記する。測定ＰＥＲは、ＡＣＫ／ＮＡＣＫ生成部１２２に出力される。
【００１６】
ＡＣＫ／ＮＡＣＫ生成部１２２は、復号部１１４によって復号された制御情報のうち、所要ＰＥＲを示す所要ＰＥＲ情報を取得する。所要ＰＥＲは、測定ＰＥＲの目標値としての機能を有する。また、ＡＣＫ／ＮＡＣＫ生成部１２２は、測定ＰＥＲ、所要ＰＥＲおよびＣＲＣ結果に基づいて、ＡＣＫ信号またはＮＡＣＫ信号のいずれかを生成し、符号化部１２４に出力する。ＡＣＫ信号およびＮＡＣＫ信号の生成動作の詳細について後で説明する。
【００１７】
なお、本実施の形態のデータ通信装置は、誤り率測定部１２０およびＡＣＫ／ＮＡＣＫ生成部１２２により構成される。
【００１８】
符号化部１２４は、入力されたＡＣＫ信号またはＮＡＣＫ信号を符号化する。符号化部１２６は、送信データを符号化する。変調部１２８は、符号化部１２４で符号化されたＡＣＫ信号またはＮＡＣＫ信号を変調する。変調部１３０は、符号化部１２６で符号化された送信データを変調する。多重部１３２は、変調されたＡＣＫ信号またはＮＡＣＫ信号および変調された送信データを、例えばコード多重、時間多重または周波数多重などの多重方法で多重する。送信無線処理部１３４は、多重された信号に対して所定の送信無線処理（例えば、Ｄ／Ａ変換、アップコンバートなど）を施して、アンテナ１０２を介して基地局に送信する。
【００１９】
以下、ＡＣＫ／ＮＡＣＫ生成部１２２の応答信号生成動作について説明する。図２は、ＡＣＫ／ＮＡＣＫ生成部１２２の応答信号生成動作を説明するためのフロー図である。
【００２０】
まず、ステップＳＴ１０００では、ＣＲＣ結果に基づいて、受信データの誤りが検出されたか否かを判定する。この判定処理の結果、誤りが検出された場合（ＳＴ１０００：ＹＥＳ）、ステップＳＴ１１００に進み、誤りが検出されなかった場合（ＳＴ１０００：ＮＯ）、ステップＳＴ１４００に進む。
【００２１】
ステップＳＴ１１００では、比較手段として、測定ＰＥＲと所要ＰＥＲを比較する。この比較の結果、測定ＰＥＲが所要ＰＥＲよりも低い場合（ＳＴ１１００：ＹＥＳ）、ステップＳＴ１２００に進み、測定ＰＥＲが所要ＰＥＲと等しい場合または測定ＰＥＲが所要ＰＥＲよりも高い場合（ＳＴ１１００：ＮＯ）、ステップＳＴ１３００に進む。
【００２２】
ステップＳＴ１２００では、処理手段として、基地局のデータ再送を回避する処理を行う。具体的には、要求手段としてＡＣＫ信号を生成して、符号化部１２４に出力する。これにより、受信データに誤りが検出されている場合でも、伝送品質が過剰に良好な状況においては、ＡＣＫ信号が移動局１００から基地局に送信されることとなる。
【００２３】
ステップＳＴ１３００では、要求手段としてＮＡＣＫ信号を生成して、符号化部１２４に出力する。ステップＳＴ１４００では、要求手段としてＡＣＫ信号を生成して、符号化部１２４に出力する。
【００２４】
なお、ステップＳＴ１０００、ＳＴ１１００の処理順序は上記の逆でも良い。
【００２５】
次いで、上記構成を有する移動局１００の送受信動作について説明する。図３は、移動局１００の送受信動作を説明するための図である。なお、この例示においては、ＰＥＲ測定期間は、１０フレームに設定されている。また、所要ＰＥＲは０．１５に設定されている。また、図３において、○印は、誤り検出処理において受信データの誤りが検出されなかったことを表し、×印は、誤り検出処理において受信データの誤りが検出されたことを表す。
【００２６】
まず、基地局からフレーム＃１の新規パケットデータが送信され、移動局１００はこれを受信する。この受信データにおいては誤りが検出されていないので、移動局１００は、ＡＣＫ信号を基地局にフィードバックする。ＡＣＫ信号を受信した基地局は、フレーム＃２の新規パケットデータを送信する。この例示においては、前述の動作がフレーム＃９まで繰り返される。
【００２７】
そして、移動局１００が基地局から受信したフレーム＃１０の新規パケットデータにおいて、誤りが検出される。このとき、ＰＥＲ測定期間の測定ＰＥＲは０．１０であり、所要ＰＥＲよりも低い。よって、移動局１００は、ＮＡＣＫ信号ではなく、ＡＣＫ信号を基地局に送信する。この結果、基地局は、フレーム＃１０のパケットデータと同一のパケットデータの再送を行わず、フレーム＃１１では、新規パケットデータを送信する。
【００２８】
このように、本実施の形態によれば、受信したパケットデータの誤り検出結果に応じてＡＣＫ信号またはＮＡＣＫ信号のいずれかを送信する移動局１００において、測定ＰＥＲが所要ＰＥＲよりも低い場合、パケットデータ再送を回避する処理を行うため、測定ＰＥＲが所要ＰＥＲに満たないときのみ、基地局に再送を行わせることができ、過剰な再送を回避することができ、伝送効率を向上させることができる。
【００２９】
なお、本実施の形態では、ＮＡＣＫ信号を生成して送信する移動局を例にとって説明したが、ＮＡＣＫ信号を生成しない移動局にも、本発明を適用することができる。この場合、誤りが検出され且つ測定ＰＥＲが所要ＰＥＲ以上のときには、応答信号としては何も送信されない。これにより、誤りが検出されなかったときにＡＣＫ信号を送信し誤りが検出されたときには何も送信しない移動局において、上記と同様の作用効果を実現することができる。
【００３０】
また、ＡＣＫ信号を生成しない移動局にも本発明を適用することができる。この場合、誤りが検出されないとき、または、誤りが検出され且つ測定ＰＥＲが所要ＰＥＲより低いときには、応答信号としては何も送信されない。これにより、誤りが検出されたときにＮＡＣＫ信号を送信し誤りが検出されなかったときには何も送信しない移動局において、上記と同様の作用効果を実現することができる。
【００３１】
また、本実施の形態では、移動局をデータ受信装置として使用し且つ基地局をデータ送信装置として使用した場合を例にとって説明したが、移動局をデータ送信装置として使用し且つ基地局をデータ受信装置として使用した場合にも、本発明を適用することができる。
【００３２】
（実施の形態２）
図４は、本発明の実施の形態２に係るデータ通信装置を備えた移動局の構成を示すブロック図である。なお、本実施の形態の移動局２００はデータ受信装置として用いられ、データ送信装置としての基地局から送信されたパケットデータを受信する。移動局２００は
、実施の形態１で説明した移動局１００と同様の基本的構成を有し、実施の形態１で説明したものと同一の構成要素には同一の参照符号を付し、その詳細な説明を省略する。
【００３３】
移動局２００は、移動局１００の構成に受信品質測定部２０２を加え、さらに、移動局１００の誤り率測定部１２０およびＡＣＫ／ＮＡＣＫ生成部１２２の代わりに誤り率測定部２０４およびＡＣＫ／ＮＡＣＫ生成部２０６を設けた構成となっている。
【００３４】
受信品質測定部２０２は、データチャネルのチャネル品質として受信ＳＩＲ（Signal to Interference Ratio）を測定する。また、測定期間（例えばＮフレーム）中の受信ＳＩＲの平均値（平均受信ＳＩＲ）を算出する。算出された平均受信ＳＩＲは、誤り率測定部２０４に出力される。誤り率測定部２０４は、平均受信ＳＩＲからビット誤り率（ＢＥＲ）を推定することにより、ＢＥＲの測定を行う。以下、測定されたＢＥＲを測定ＢＥＲと略記する。測定ＢＥＲは、ＡＣＫ／ＮＡＣＫ生成部２０６に出力される。このように、受信品質測定部２０２および誤り率測定部２０４の組み合わせは、取得手段として、受信誤り率を取得する。
【００３５】
上記のＢＥＲの推定は、平均受信ＳＩＲとＢＥＲとの対応関係に基づいて行われる。この対応関係は誤り率測定部２０４に予め記憶されている。例えば図５に示されるような対応関係が記憶されている場合を仮定する。この場合、入力された平均受信ＳＩＲの値が８ｄＢのときは、ＢＥＲの値として０．０３が出力される。
【００３６】
ＡＣＫ／ＮＡＣＫ生成部２０６は、復号部１１４によって復号された制御情報のうち、所要ＢＥＲを示す所要ＢＥＲ情報を取得する。所要ＢＥＲは、測定ＢＥＲの目標値としての機能を有する。また、ＡＣＫ／ＮＡＣＫ生成部２０６は、測定ＢＥＲ、所要ＢＥＲおよびＣＲＣ結果に基づいて、ＡＣＫ信号またはＮＡＣＫ信号のいずれかを生成し、符号化部１２４に出力する。ＡＣＫ信号およびＮＡＣＫ信号の生成動作の詳細については後で説明する。
【００３７】
なお、本実施の形態のデータ通信装置は、受信品質測定部２０２、誤り率測定部２０４およびＡＣＫ／ＮＡＣＫ生成部２０６により構成される。
【００３８】
以下、ＡＣＫ／ＮＡＣＫ生成部２０６の応答信号生成動作について説明する。図６は、ＡＣＫ／ＮＡＣＫ生成部２０６の応答信号生成動作を説明するためのフロー図である。
【００３９】
前述のステップＳＴ１０００での判定処理の結果、誤りが検出された場合（ＳＴ１０００：ＹＥＳ）、ステップＳＴ１１１０に進み、誤りが検出されなかった場合（ＳＴ１０００：ＮＯ）、前述のステップＳＴ１４００に進む。
【００４０】
ステップＳＴ１１１０では、比較手段として、測定ＢＥＲと所要ＢＥＲを比較する。この比較の結果、測定ＢＥＲが所要ＢＥＲよりも低い場合（ＳＴ１１１０：ＹＥＳ）、前述のステップＳＴ１２００に進み、測定ＢＥＲが所要ＢＥＲと等しい場合または測定ＢＥＲが所要ＢＥＲよりも高い場合（ＳＴ１１１０：ＮＯ）、前述のステップＳＴ１３００に進む。
【００４１】
なお、ステップＳＴ１０００、ＳＴ１１１０の処理順序は上記の逆でも良い。
【００４２】
このように、本実施の形態によれば、受信誤り率の目標値がＢＥＲで定義されている場合に、受信したパケットデータの誤り検出結果に応じてＡＣＫ信号またはＮＡＣＫ信号のいずれかを送信する移動局２００において、測定ＢＥＲが所要ＢＥＲよりも低い場合、パケットデータ再送を回避する処理を行うため、測定ＢＥＲが所要ＢＥＲに満たないときの
み、基地局に再送を行わせることができ、過剰な再送を回避することができ、伝送効率を向上させることができる。さらに、ＢＥＲは、ＰＥＲに比べて、比較的短い測定期間でも高精度に推定することができるため、受信誤り率の変動に対する再送制御の追従性を向上させることができる。
【００４３】
なお、本実施の形態では、ＮＡＣＫ信号を生成して送信する移動局を例にとって説明したが、ＮＡＣＫ信号を生成しない移動局にも、本発明を適用することができる。この場合、誤りが検出され且つ測定ＢＥＲが所要ＢＥＲ以上のときには、応答信号としては何も送信されない。これにより、誤りが検出されなかったときにＡＣＫ信号を送信し誤りが検出されたときには何も送信しない移動局において、上記と同様の作用効果を実現することができる。
【００４４】
また、ＡＣＫ信号を生成しない移動局にも本発明を適用することができる。この場合、誤りが検出されないとき、または、誤りが検出され且つ測定ＢＥＲが所要ＢＥＲより低いときには、応答信号としては何も送信されない。これにより、誤りが検出されたときにＮＡＣＫ信号を送信し誤りが検出されなかったときには何も送信しない移動局において、上記と同様の作用効果を実現することができる。
【００４５】
また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。
【００４６】
（実施の形態３）
図７は、本発明の実施の形態３に係るデータ通信装置を備えた基地局の構成を示すブロック図である。本実施の形態の基地局３００はデータ送信装置として用いられ、データ受信装置としての移動局にパケットデータを送信する。
【００４７】
基地局３００は、アンテナ３０２、受信無線処理部３０４、信号分離部３０６、チャネル推定部３０８、復調部３１０、３１２、復号部３１４、３１６、誤り率測定部３１８、再送判定部３２０、再送制御部３２２、符号化部３２４、３２６、変調部３２８、３３０、多重部３３２および送信無線処理部３３４を有する。
【００４８】
受信無線処理部３０４は、移動局から送信された信号を、アンテナ３０２を介して受信する。そして、受信信号に対して所定の受信無線処理（例えば、ダウンコンバート、Ａ／Ｄ変換など）を施す。受信無線処理を施された受信信号は信号分離部３０６に出力される。
【００４９】
信号分離部３０６は、受信信号において例えばコード多重、時間多重または周波数多重などにより多重されている制御チャネル、データチャネルおよびパイロットチャネルを分離する。そして、制御チャネルの制御情報を復調部３１０に、データチャネルのデータ信号を復調部３１２に、パイロットチャネルのパイロット信号をチャネル推定部３０８に、それぞれ出力する。
【００５０】
チャネル推定部３０８は、入力されたパイロット信号を用いてチャネル推定を行う。復調部３１０は、チャネル推定結果に基づいて、データ信号を復調する。復調部３１２は、チャネル推定結果に基づいて、制御情報を復調する。復号部３１４は、復調されたデータ信号を復号する。復号されたデータ信号は受信データとして出力される。復号部３１６は、復調された制御情報を復号する。
【００５１】
誤り率測定部３１８は、取得手段として、移動局の受信誤り率を取得する。具体的には、復号された制御情報のうち移動局からフィードバックされたＡＣＫ信号およびＮＡＣＫ信号を用いて、移動局のＰＥＲを測定する。測定ＰＥＲは再送判定部３２０に出力される。
【００５２】
再送判定部３２０は、無線ネットワーク制御局から所要ＰＥＲの通知を受ける。また、復号された制御情報のうち移動局からフィードバックされたＡＣＫ信号およびＮＡＣＫ信号を取得する。また、再送判定部３２０は、測定ＰＥＲ、所要ＰＥＲおよびＡＣＫ信号／ＮＡＣＫ信号に基づいて再送判定を行い、新規パケット送信またはパケット再送のいずれかの実行を再送制御部３２２に指示する。また、あるパケットデータの再送回数が所定値（最大再送回数）を超過する場合、そのパケットデータの再送は行われない。最大再送回数は、無線ネットワーク制御局により、許容される遅延量に基づいて予め決められている。また再送判定の結果は、符号化部３２４に通知される。再送判定動作の詳細については後で説明する。
【００５３】
なお、本実施の形態のデータ通信装置は、誤り率測定部３１８および再送判定部３２０により構成される。
【００５４】
再送制御部３２２は、送信データを保存する。そして、再送判定部３２０からパケット再送を指示された場合、保存された送信データを再送パケットデータとして符号化部３２６に出力する。また、再送判定部３２０から新規パケット送信を指示された場合、新規パケットデータを符号化部３２６に出力する。
【００５５】
符号化部３２４は、再送判定結果に対応する制御情報を符号化する。符号化部３２６は、再送制御部３２２から入力されたパケットデータを符号化する。変調部３２８は、符号化部３２４で符号化された信号を変調する。変調部３３０は、符号化部３２６で符号化された信号を変調する。多重部３３２は、変調部３２８、３３０で変調された信号を、例えばコード多重、時間多重または周波数多重などの多重方法で多重する。送信無線処理部３３４は、多重された信号に対して所定の送信無線処理（例えば、Ｄ／Ａ変換、アップコンバートなど）を施して、アンテナ３０２を介して移動局に送信する。
【００５６】
以下、再送判定部３２０の再送判定動作について説明する。図８は、再送判定部３２０の再送判定動作を説明するためのフロー図である。
【００５７】
まず、ステップＳＴ３０００では、移動局からフィードバックされた応答信号がＡＣＫ信号かＮＡＣＫ信号かに基づいて、移動局で受信データの誤りが検出されたか否かを判定する。この判定処理の結果、誤りが検出された（つまりＮＡＣＫ信号がフィードバックされた）場合（ＳＴ３０００：ＹＥＳ）、ステップＳＴ３１００に進み、誤りが検出されなかった（つまりＡＣＫ信号がフィードバックされた）場合（ＳＴ３０００：ＮＯ）、ステップＳＴ３４００に進む。
【００５８】
ステップＳＴ３１００では、比較手段として、測定ＰＥＲと所要ＰＥＲを比較する。この比較の結果、測定ＰＥＲが所要ＰＥＲよりも低い場合（ＳＴ３１００：ＹＥＳ）、ステップＳＴ３２００に進み、測定ＰＥＲが所要ＰＥＲと等しい場合または測定ＰＥＲが所要ＰＥＲよりも高い場合（ＳＴ３１００：ＮＯ）、ステップＳＴ３３００に進む。
【００５９】
ステップＳＴ３２００では、処理手段として、移動局に対するデータ再送を回避する処理を行う。具体的には、新規パケット送信の実行を決定し、その旨を再送制御部３２２に指示する。これにより、移動局での受信データに誤りが検出されている場合でも、伝送品質が過剰に良好な状況においては、新規パケットデータが基地局３００から移動局に送信
されることとなる。
【００６０】
ステップＳＴ３３００では、パケット再送の実行を決定し、その旨を再送制御部３２２に指示する。ステップＳＴ３４００では、新規パケット送信の実行を決定し、その旨を再送制御部３２２に指示する。
【００６１】
なお、ステップＳＴ３０００、ＳＴ３１００の処理順序は上記の逆でも良い。
【００６２】
次いで、上記構成を有する基地局３００の送受信動作について説明する。図９は、基地局３００の送受信動作を説明するための図である。なお、この例示においては、ＰＥＲ測定期間は、１０フレームに設定されている。また、所要ＰＥＲは０．１５に設定されている。また、図９において、○印は、誤り検出処理において受信データの誤りが検出されなかったことを表し、×印は、誤り検出処理において受信データの誤りが検出されたことを表す。
【００６３】
まず、基地局３００からフレーム＃１の新規パケットデータが送信され、移動局はこれを受信する。この受信データにおいては誤りが検出されていないので、移動局は、ＡＣＫ信号を基地局３００にフィードバックする。ＡＣＫ信号を受信した基地局３００は、フレーム＃２の新規パケットデータを送信する。この例示においては、前述の動作がフレーム＃９まで繰り返される。
【００６４】
そして、移動局が基地局３００から受信したフレーム＃１０の新規パケットデータにおいて誤りが検出されたとき、移動局はＮＡＣＫ信号を基地局３００にフィードバックする。このとき、ＰＥＲ測定期間の測定ＰＥＲは０．１０であり、所要ＰＥＲよりも低い。よって、基地局３００は、フレーム＃１０のパケットデータと同一のパケットデータの再送を行わず、フレーム＃１１では、新規パケットデータを送信する。
【００６５】
このように、本実施の形態によれば、移動局からＡＣＫ信号またはＮＡＣＫ信号のいずれかを受信する基地局３００において、測定ＰＥＲが所要ＰＥＲよりも低い場合、パケットデータ再送を回避する処理を行うため、測定ＰＥＲが所要ＰＥＲに満たないときのみ、再送を行うことができ、過剰な再送を回避することができ、伝送効率を向上させることができる。
【００６６】
なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部３１８では、移動局からフィードバックされるＡＣＫ信号を用いてＰＥＲを測定する。また、再送判定部３２０では、移動局からＡＣＫ信号がフィードバックされなかった場合は、誤りが検出されたと判定する。これにより、移動局からＡＣＫ信号のみを受信する基地局において、上記と同様の作用効果を実現することができる。
【００６７】
また、移動局からＡＣＫ信号を受信しない基地局にも、本発明を適用することができる。この場合、誤り率測定部３１８では、移動局からフィードバックされるＮＡＣＫ信号を用いてＰＥＲを測定する。また、再送判定部３２０では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。
【００６８】
また、本実施の形態では、移動局をデータ受信装置として使用し且つ基地局をデータ送信装置として使用した場合を例にとって説明した。ただし、移動局をデータ送信装置とし
て使用し且つ基地局をデータ受信装置として使用した場合にも、本発明を適用することができる。
【００６９】
（実施の形態４）
図１０は、本発明の実施の形態４に係るデータ通信装置を備えた基地局４００の構成を示すブロック図である。なお、本実施の形態の基地局４００はデータ送信装置として用いられ、データ受信装置としての移動局にパケットデータを送信する。基地局４００は、実施の形態３で説明した基地局３００と同様の基本的構成を有し、実施の形態３で説明したものと同一の構成要素には同一の参照符号を付し、その詳細な説明を省略する。
【００７０】
基地局４００は、基地局３００の構成に受信品質測定部４０２を加え、さらに、基地局３００の誤り率測定部３１８の代わりに誤り率測定部４０４を有する構成となっている。
【００７１】
受信品質測定部４０２は、信号分離部３０６から入力されたパイロット信号を用いて、応答信号が伝送されるチャネルの受信ＳＩＲを測定し、所定期間中の受信ＳＩＲの平均値（平均受信ＳＩＲ）を算出する。算出された平均受信ＳＩＲは誤り率測定部４０４に出力される。
【００７２】
誤り率測定部４０４は、取得手段として、移動局の受信誤り率を取得する。具体的には、復号された制御情報のうち移動局からフィードバックされたＡＣＫ信号およびＮＡＣＫ信号を用いて、移動局のＰＥＲを測定する。
【００７３】
また、誤り率測定部４０４は、算出手段として、入力された平均受信ＳＩＲに基づいてＡＣＫ誤判定率およびＮＡＣＫ誤判定率を算出する。さらに、誤り率測定部４０４は、算出されたＡＣＫ誤判定率およびＮＡＣＫ誤判定率を用いて、測定ＰＥＲを補正する。
【００７４】
なお、本実施の形態のデータ通信装置は、受信品質測定部４０２、誤り率測定部４０４および再送判定部３２０によって構成されている。
【００７５】
誤り率測定部４０４でのＡＣＫ誤判定率およびＮＡＣＫ誤判定率の算出は、平均受信ＳＩＲと誤判定率との対応関係に基づいて行われる。例えば図１１に示されるような対応関係が誤り率測定部４０４に予め記憶されており、これを用いて各誤判定率が算出される。なお、ＡＣＫ誤判定率は、ＡＣＫ信号が誤ってＮＡＣＫ信号と判定される確率であり、ＮＡＣＫ誤判定率は、ＮＡＣＫ信号が誤ってＡＣＫ信号と判定される確率である。
【００７６】
また、誤り率測定部４０４での測定ＰＥＲの補正は、下記の式（１）によって行われる。式（１）において、ＮはＰＥＲ測定期間中の総パケット数を、ＮＮＡＣＫはＰＥＲ測定期間中に受信したＮＡＣＫ信号の数を、ＮＡＣＫはＰＥＲ期間中に受信したＡＣＫ信号の数を、ＰＮＡＣＫはＮＡＣＫ誤判定率を、ＰＡＣＫはＡＣＫ誤判定率を、それぞれ表す。
ＰＥＲ＝（ＮＮＡＣＫ＋ＮＮＡＣＫ×ＰＮＡＣＫ−ＮＡＣＫ×ＰＡＣＫ）／Ｎ  …（１）
【００７７】
すなわち、上記の式（１）において、分子の第２項（ＮＮＡＣＫ×ＰＮＡＣＫ）は、移動局から送信されたＮＡＣＫ信号を基地局４００が誤ってＡＣＫ信号として受信した回数を表している。例えば、ＰＮＡＣＫ＝０．１、ＮＮＡＣＫ＝１００の場合、１０個のＮＡＣＫ信号がＡＣＫ信号として受信されたはずである。よって、この場合は、ＮＮＡＣＫに対して１０が加算される。
【００７８】
また、分子の第３項（ＮＡＣＫ×ＰＡＣＫ）は、移動局から送信されたＡＣＫ信号を基地局４００が誤ってＮＡＣＫ信号として受信した回数を表している。例えば、ＰＡＣＫ＝
０．１、ＮＡＣＫ＝３００の場合、３０個のＡＣＫ信号がＮＡＣＫ信号として受信されたはずである。よって、この場合は、ＮＮＡＣＫから３０が減算される。
【００７９】
このように、本実施の形態によれば、実施の形態３で説明したものと同様の作用効果を実現することができるだけでなく、ＡＣＫ信号またはＮＡＣＫ信号の誤判定率が変動するシステムにおいて、ＰＥＲの測定精度を向上させることができる。
【００８０】
なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部４０４では、移動局からフィードバックされるＡＣＫ信号を用いてＰＥＲを測定する。また、平均受信ＳＩＲに基づいてＡＣＫ誤判定率を算出し、算出されたＡＣＫ誤判定率を用いて測定ＰＥＲを補正する。さらに、再送判定部３２０では、移動局からＡＣＫ信号がフィードバックされなかった場合は、誤りが検出されたと判定する。これにより、移動局からＡＣＫ信号のみを受信する基地局において、上記と同様の作用効果を実現することができる。
【００８１】
また、移動局からＡＣＫ信号を受信しない基地局にも、本発明を適用することができる。この場合、誤り率測定部４０４では、移動局からフィードバックされるＮＡＣＫ信号を用いてＰＥＲを測定する。また、平均受信ＳＩＲに基づいてＮＡＣＫ誤判定率を算出し、算出されたＮＡＣＫ誤判定率を用いて測定ＰＥＲを補正する。さらに、再送判定部３２０では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。
【００８２】
また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。
【００８３】
（実施の形態５）
図１２は、本発明の実施の形態５に係るデータ通信装置を備えた基地局の構成を示すブロック図である。なお、本実施の形態の基地局５００はデータ送信装置として用いられ、データ受信装置としての移動局にパケットデータを送信する。基地局５００は、実施の形態３で説明した基地局３００と同様の基本的構成を有し、実施の形態３または実施の形態４で説明したものと同一の構成要素には同一の参照符号を付し、その詳細な説明を省略する。
【００８４】
本実施の形態では、移動局からＡＣＫ信号およびＮＡＣＫ信号が伝送されるチャネルが送信電力制御される場合を想定する。
【００８５】
基地局５００は、基地局３００の誤り率測定部３１８の代わりに誤り率測定部５０２を有し、さらに、基地局３００の構成にコマンド生成部５０４および実施の形態４で説明した受信品質測定部４０２を加えた構成となっている。
【００８６】
誤り率測定部５０２は、取得手段として、移動局の受信誤り率を取得する。具体的には、復号された制御情報のうち移動局からフィードバックされたＡＣＫ信号およびＮＡＣＫ信号を用いて、移動局のＰＥＲを測定する。
【００８７】
また、誤り率測定部５０２は、予め定められたＡＣＫ誤判定率および予め定められたＮＡＣＫ誤判定率を示すＡＣＫ／ＮＡＣＫ目標誤り率情報の通知を受ける。そして、ＡＣＫ
誤判定率およびＮＡＣＫ誤判定率を用いて、測定ＰＥＲを補正する。測定ＰＥＲの具体的な補正方法は、実施の形態４で説明した誤り率測定部４０４での補正方法と同様である。
【００８８】
なお、本実施の形態のデータ通信装置は、誤り率測定部５０２および再送判定部３２０によって構成されている。
【００８９】
コマンド生成部５０４は、受信品質測定部４０２で算出された平均受信ＳＩＲと所定の目標ＳＩＲを比較する。そして、この比較結果に応じて送信電力制御コマンドが生成される。つまり、送信電力制御コマンドは、平均受信ＳＩＲが目標ＳＩＲを満たすように移動局の送信電力を制御するための信号である。送信電力制御コマンドは、送信電力の増減のみを表すものであっても良く、あるいは、増減幅も表すものであっても良い。なお、目標ＳＩＲは、ＡＣＫ／ＮＡＣＫ目標誤り率情報に示されたＡＣＫ誤判定率およびＮＡＣＫ誤判定率に基づいて予め設定されている。
【００９０】
このように、本実施の形態によれば、実施の形態３で説明したものと同様の作用効果を実現することができる。さらに、ＡＣＫ信号／ＮＡＣＫ信号の伝送用チャネルの送信電力制御によって実際のＡＣＫ誤判定率および実際のＮＡＣＫ誤判定率が所定値とほぼ一致するようなシステム、換言すれば、ＡＣＫ誤判定率およびＮＡＣＫ誤判定率がほぼ一定となるシステムにおいて、ＰＥＲの測定精度を向上させることができる。
【００９１】
なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部５０２では、移動局からフィードバックされるＡＣＫ信号を用いてＰＥＲを測定する。また、所定のＡＣＫ誤判定率を用いて測定ＰＥＲを補正する。さらに、再送判定部３２０では、移動局からＡＣＫ信号がフィードバックされなかった場合は、誤りが検出されたと判定する。これにより、移動局からＡＣＫ信号のみを受信する基地局において、上記と同様の作用効果を実現することができる。
【００９２】
また、移動局からＡＣＫ信号を受信しない基地局にも、本発明を適用することができる。この場合、誤り率測定部５０２では、移動局からフィードバックされるＮＡＣＫ信号を用いてＰＥＲを測定する。また、所定のＮＡＣＫ誤判定率を用いて測定ＰＥＲを補正する。さらに、再送判定部３２０では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。
【００９３】
また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。
【００９４】
（実施の形態６）
図１３は、本発明の実施の形態６に係るデータ通信装置を備えた基地局の構成を示すブロック図である。なお、本実施の形態の基地局６００はデータ送信装置として用いられ、データ受信装置としての移動局にパケットデータを送信する。基地局６００は、実施の形態３で説明した基地局３００と同様の基本的構成を有し、実施の形態３で説明したものと同一の構成要素には同一の参照符号を付し、その詳細な説明を省略する。
【００９５】
基地局６００は、基地局３００の誤り率測定部３１８、再送判定部３２０および再送制御部３２２の代わりに、誤り率測定部６０２、送信判定部６０４および送信制御部６０６を有する構成となっている。
【００９６】
誤り率測定部６０２は、取得手段として、移動局の受信誤り率を取得する。具体的には、復号された制御情報のうち移動局からフィードバックされたＡＣＫ信号およびＮＡＣＫ信号を用いるとともに、送信判定部６０４から新規パケット破棄の実行が通知された場合に新規パケット破棄をパケット誤りとしてカウントして、移動局のＰＥＲを測定する。すなわち、ＰＥＲは次の式（２）によって計算される。式（２）において、ＮはＰＥＲ測定期間中の総パケット数を、ＮＮＡＣＫはＰＥＲ測定期間中に受信したＮＡＣＫ信号の数を、ＮＤＲＯＰはＰＥＲ測定期間中に破棄された新規パケットの数を、それぞれ表す。
ＰＥＲ＝（ＮＮＡＣＫ＋ＮＤＲＯＰ）／Ｎ  …（２）
【００９７】
送信判定部６０４は、無線ネットワーク制御局から所要ＰＥＲの通知を受ける。また、復号された制御情報のうち移動局からフィードバックされたＡＣＫ信号およびＮＡＣＫ信号を取得する。また、送信判定部６０４は、測定ＰＥＲ、所要ＰＥＲおよびＡＣＫ信号／ＮＡＣＫ信号に基づいて送信判定を行い、新規パケット送信、新規パケット破棄またはパケット再送のいずれかの実行を送信制御部６０６に指示する。また、あるパケットデータの再送回数が所定値（最大再送回数）を超過する場合、そのパケットデータの再送は行われない。最大再送回数は、無線ネットワーク制御局により、許容される遅延量に基づいて予め決められている。送信判定の結果は、符号化部３２４および誤り率測定部６０２に通知される。送信判定動作の詳細については後で説明する。
【００９８】
なお、本実施の形態のデータ通信装置は、誤り率測定部６０２および送信判定部６０４により構成される。
【００９９】
送信制御部６０６は、送信データを保存する。そして、送信判定部６０４からパケット再送を指示された場合、保存された送信データを再送パケットデータとして符号化部３２６に出力する。また、送信判定部６０６から新規パケット送信を指示された場合、新規パケットデータを符号化部３２６に出力する。また、送信判定部６０４から新規パケット破棄を指示された場合、新規パケットデータを破棄して、破棄された新規パケットデータの次の（１つ後の）新規パケットデータを符号化部３２６に出力する。
【０１００】
以下、送信判定部６０４の送信判定動作について説明する。図１４は、送信判定部６０４の送信判定動作を説明するためのフロー図である。
【０１０１】
まず、ステップＳＴ６０００では、比較手段として、測定ＰＥＲと所要ＰＥＲを比較する。この比較の結果、測定ＰＥＲが所要ＰＥＲよりも低い場合（ＳＴ６０００：ＹＥＳ）、ステップＳＴ６２００に進み、測定ＰＥＲが所要ＰＥＲと等しい場合または測定ＰＥＲが所要ＰＥＲよりも高い場合（ＳＴ６０００：ＮＯ）、ステップＳＴ６１００に進む。
【０１０２】
ステップＳＴ６１００では、移動局からフィードバックされた応答信号がＡＣＫ信号かＮＡＣＫ信号かに基づいて、移動局で受信データの誤りが検出されたか否かを判定する。この判定処理の結果、誤りが検出された（つまりＮＡＣＫ信号がフィードバックされた）場合（ＳＴ６１００：ＹＥＳ）、ステップＳＴ６３００に進み、誤りが検出されなかった（つまりＡＣＫ信号がフィードバックされた）場合（ＳＴ６１００：ＮＯ）、ステップＳＴ６４００に進む。
【０１０３】
ステップＳＴ６２００では、処理手段として、移動局に対するデータ再送を回避する処理を行う。具体的には、新規パケット破棄の実行を決定し、その旨を送信制御部６０６に指示する。これと同時に、新規パケットデータの破棄を誤り率測定部６０２に報告し、パケット誤りとしてカウントさせる。この処理により、新規パケットデータが破棄され、破棄された新規パケットデータの次の（１つ後の）新規パケットデータが基地局６００から
移動局に送信されることとなる。
【０１０４】
ステップＳＴ６３００では、パケット再送の実行を決定し、その旨を送信制御部６０６に指示する。ステップＳＴ６４００では、新規パケット送信の実行を決定し、その旨を送信制御部６０６に指示する。
【０１０５】
なお、ステップＳＴ６０００、ＳＴ６１００の処理順序は上記の逆でも良い。
【０１０６】
次いで、上記構成を有する基地局６００の送受信動作について説明する。図１５は、基地局６００の送受信動作を説明するための図である。なお、この例示においては、ＰＥＲ測定期間は、１０フレームに設定されている。また、所要ＰＥＲは０．１５に設定されている。また、図１５において、○印は、誤り検出処理において受信データの誤りが検出されなかったことを表し、×印は、誤り検出処理において受信データの誤りが検出されたことを表す。
【０１０７】
まず、基地局６００からフレーム＃１の新規パケットデータが送信され、移動局はこれを受信する。この受信データにおいては誤りが検出されていないので、移動局は、ＡＣＫ信号を基地局６００にフィードバックする。ＡＣＫ信号を受信した基地局６００は、フレーム＃２の新規パケットデータを送信する。この例示においては、前述の動作がフレーム＃５まで繰り返される。
【０１０８】
そして、移動局が基地局６００から受信したフレーム＃６の新規パケットデータにおいて誤りが検出されたとき、移動局はＮＡＣＫ信号を基地局６００にフィードバックする。ＮＡＣＫ信号を受信した基地局６００は、フレーム＃７では、フレーム＃６のパケットデータと同一のパケットデータを再送する（この時点ではＰＥＲが未取得の状態のため、前述の送信判定動作が行われず、従来の再送判定動作が行われるものとする）。
【０１０９】
このパケットデータは移動局に正しく受信され、基地局６００にはＡＣＫ信号がフィードバックされる。同様に、フレーム＃８、＃９、＃１０のパケットデータも正しく受信され、基地局６００にはＡＣＫ信号がフィードバックされる。
【０１１０】
フレーム＃１〜＃１０の期間を経た時点で得られた測定ＰＥＲは０．１０であり、所要ＰＥＲよりも低い。よって、基地局６００は、フレーム＃１１での送信処理として、新規パケットデータを破棄してその次回分の新規パケットデータを送信する。フレーム＃１１のパケットデータを正しく受信した移動局はＡＣＫ信号を基地局６００にフィードバックし、これに応じて、基地局６００は新規パケットデータをフレーム＃１２で送信する。
【０１１１】
このように、本実施の形態によれば、パケットデータの誤りがほとんど発生しない環境においても、パケットデータが過剰品質で伝送されることを回避することができ、前述の各実施の形態で説明したものと同様の作用効果を実現することができる。
【０１１２】
なお、本実施の形態では、移動局からＮＡＣＫ信号を受信する基地局を例にとって説明したが、移動局からＮＡＣＫ信号を受信しない基地局にも、本発明を適用することができる。この場合、誤り率測定部６０２では、移動局からフィードバックされるＡＣＫ信号を用いてＰＥＲを測定する。さらに、送信判定部６０４では、移動局からＡＣＫ信号がフィードバックされなかった場合は、誤りが検出されたと判定する。これにより、移動局からＡＣＫ信号のみを受信する基地局において、上記と同様の作用効果を実現することができる。
【０１１３】
また、移動局からＡＣＫ信号を受信しない基地局にも、本発明を適用することができる
。この場合、誤り率測定部６０２では、移動局からフィードバックされるＮＡＣＫ信号を用いてＰＥＲを測定する。さらに、送信判定部６０４では、移動局からＮＡＣＫ信号がフィードバックされなかった場合は、誤りが検出されなかったと判定する。これにより、移動局からＮＡＣＫ信号のみを受信する基地局において、上記と同様の作用効果を実現することができる。
【０１１４】
また、本実施の形態では、移動局をデータ受信装置として使用し且つ基地局をデータ送信装置として使用した場合を例にとって説明した。ただし、移動局をデータ送信装置として使用し且つ基地局をデータ受信装置として使用した場合にも、本発明を適用することができる。
【０１１５】
以上、本発明に係る各実施の形態について説明した。
【０１１６】
本発明に係るデータ通信装置、データ受信装置、データ送信装置および再送制御方法は、上記各実施の形態に限定されず、種々変更して実施することが可能である。例えば、各実施の形態は、適宜組み合わせて実施することが可能である。
【０１１７】
また、上記各実施の形態では、本発明をハードウェアで構成する場合を例にとって説明したが、本発明をソフトウェアで実現することも可能である。例えば、本発明に係る再送制御方法のアルゴリズムをプログラミング言語によって記述し、このプログラムをメモリに記憶しておいて情報処理手段によって実行させることにより、本発明に係るデータ通信装置、データ受信装置およびデータ送信装置と同様の機能を実現することができる。
【０１１８】
また、上記各実施の形態における基地局はNode B、移動局はUEと表されることがある。
【０１１９】
また、上記の幾つかの実施の形態では、データチャネルの受信品質の測定を、ＳＩＲを用いて行っているが、ＳＩＲの代わりに、ＳＮＲ、ＳＩＮＲ、ＣＩＲ、ＣＮＲ、ＣＩＮＲ、ＲＳＳＩ、受信強度、受信電力、干渉電力、伝送レート、スループット、干渉量、または、ＭＣＳを用いて品質測定を行うこともできる。なお、受信品質は、ＣＱＩ（Channel Quality Indicator）やＣＳＩ（Channel State Information）と表されることがある。
【０１２０】
また、上記実施の形態におけるデータチャネルとしては、例えば、３ＧＰＰ（3rd Generation Partnership Project）規格では、ＨＳ−ＤＳＣＨ（High Speed Downlink Shared
Channel）、ＤＳＣＨ（Downlink Shared Channel）、ＤＰＤＣＨ（Dedicated Physical Data Channel）、ＤＣＨ（Dedicated Channel）、Ｓ−ＣＣＰＣＨ（Secondary Common Control Physical Channel）、ＦＡＣＨ（Forward Access Channel）などがある。また、上記実施の形態における制御チャネルとしては、例えば、３ＧＰＰ規格では、ＨＳ−ＤＳＣＨに付随する（associated）チャネルであるＨＳ−ＳＣＣＨ（High Speed Shared Control Channel）、ＨＳ−ＤＰＣＣＨ（High Speed Dedicated Physical Control Channel）、ＲＲＭ（Radio Resource Management）のための制御情報を通知するためのＤＣＣＨ（Dedicated Control Channel）、Ｓ−ＣＣＰＣＨ（Secondary Common Control Physical Channel）、Ｐ−ＣＣＰＣＨ（Primary Common Control Physical Channel）、ＰＣＨ（Paging
Channel）、ＢＣＨ（Broadcast Channel）、物理チャネル制御のためのＤＰＣＣＨ（Dedicated Physical Control Channel）などがある。
【０１２１】
また、上記実施の形態の説明に用いたフレームは、サブフレーム、スロット、ブロックなどと表されることがある。
【０１２２】
また、上記実施の形態の説明に用いたパケット誤り率はブロック誤り率、ＰＥＲはＢＬＥＲなどと表されることがある。
【０１２３】
また、上記各実施の形態の説明に用いた各機能ブロックは、典型的には集積回路であるＬＳＩとして実現される。これらは個別に１チップ化されても良いし、一部又は全てを含むように１チップ化されても良い。
【０１２４】
ここでは、ＬＳＩとしたが、集積度の違いにより、ＩＣ、システムＬＳＩ、スーパーＬＳＩ、ウルトラＬＳＩと呼称されることもある。
【０１２５】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【０１２６】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【０１２７】
本明細書は、２００４年１０月２８日出願の特願２００４−３１３９７５に基づく。この内容はすべてここに含めておく。
【産業上の利用可能性】
【０１２８】
本発明のデータ通信装置、データ受信装置、データ送信装置および再送制御方法は、ＡＲＱ方式やＨＡＲＱ方式などの誤り制御技術を採用した移動通信システムの基地局装置や移動局装置などに適用することができる。
【図面の簡単な説明】
【０１２９】
【図１】本発明の実施の形態１に係る移動局の構成を示すブロック図
【図２】本発明の実施の形態１に係る応答信号生成動作を説明するためのフロー図
【図３】本発明の実施の形態１に係る送受信動作を説明するための図
【図４】本発明の実施の形態２に係る移動局の構成を示すブロック図
【図５】本発明の実施の形態２に係るＳＩＲとＢＥＲの対応関係を示す図
【図６】本発明の実施の形態２に係る応答信号生成動作を説明するためのフロー図
【図７】本発明の実施の形態３に係る基地局の構成を示すブロック図
【図８】本発明の実施の形態３に係る再送判定動作を説明するためのフロー図
【図９】本発明の実施の形態３に係る送受信動作を説明するための図
【図１０】本発明の実施の形態４に係る基地局の構成を示すブロック図
【図１１】本発明の実施の形態４に係るＳＩＲと誤判定率の対応関係を示す図
【図１２】本発明の実施の形態５に係る基地局の構成を示すブロック図
【図１３】本発明の実施の形態６に係る基地局の構成を示すブロック図
【図１４】本発明の実施の形態６に係る送信判定動作を説明するためのフロー図
【図１５】本発明の実施の形態６に係る送受信動作を説明するための図
【手続補正３】
【補正対象書類名】図面
【補正対象項目名】全図
【補正方法】変更
【補正の内容】
【図１】
2006046586.tif 000017
【図２】
2006046586.tif 000018
【図３】
2006046586.tif 000019
【図４】
2006046586.tif 000020
【図５】
2006046586.tif 000021
【図６】
2006046586.tif 000022
【図７】
2006046586.tif 000023
【図８】
2006046586.tif 000024
【図９】
2006046586.tif 000025
【図１０】
2006046586.tif 000026
【図１１】
2006046586.tif 000027
【図１２】
2006046586.tif 000028
【図１３】
2006046586.tif 000029
【図１４】
2006046586.tif 000030
【図１５】
2006046586.tif 000031
【国際調査報告】
2006046586.tif 000032
2006046586.tif 000033
2006046586.tif 000034
2006046586.tif 000035